(57)【要約】【課題】主基板ボックスの交換作業性を低下させること無く、遊技内容の設定等を不正に変更されるのを防止することができる遊技機を提供する。【解決手段】スロットマシン１等の遊技機に、遊技内容を制御可能な主基板４５０、及び主基板４５０により制御される遊技内容を変更可能な操作部４５５を有し、操作部４５５が外部に露出すると共に主基板４５０が内部に封入された主基板ボックス４０９と、主基板ボックス４０９が着脱可能に固定されるベース部材４６０と、ベース部材４６０に軸支されると共に、ベース部材４６０に固定された主基板ボックス４０９の操作部４５５を被覆可能なカバー部材４５６と、カバー部材４５６が操作部４５５を被覆する閉位置の時に、カバー部材４５６をベース部材４６０へ固定する固定手段４５７と、主基板ボックス４０９の着脱の際にカバー部材４５６を邪魔にならない開位置に保持する保持手段４６１とを具備させる。【選択図】図４７
2008178623.tif 000002
【特許請求の範囲】
【請求項１】
遊技者の操作を契機として行われる遊技内容を制御可能な主基板、及び該主基板により制御される遊技内容を変更可能な操作部を有し、該操作部が外部に露出すると共に前記主基板が内部に封入された主基板ボックスと、
該主基板ボックスが着脱可能に固定されるベース部材と、
該ベース部材に回動可能に支持されると共に、該ベース部材に固定された前記主基板ボックスの前記操作部を被覆可能なカバー部材と、
該カバー部材が前記操作部を被覆する閉位置の時に、前記カバー部材を前記主基板ボックスを介さずに前記ベース部材へ固定する固定手段と、
前記ベース部材に対する前記主基板ボックスの着脱の際に、前記カバー部材を邪魔にならない開位置に保持する保持手段と
を具備することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチスロ機（例えば、スロットマシン）等の遊技機において、遊技媒体としてのメダルを所定の投入口に投入した上で、始動レバーを操作すると、複数の図柄が描かれた複数のリールが回転して各リールに描かれた図柄列が変動表示される。そして、各リールに対応したリール停止ボタンを操作して、各リールを停止させ、停止した各リールに描かれた図柄の組合せが所定の条件を満たすと、満たされた条件に応じて、所定数の遊技媒体が払出されたり、遊技者が多量の遊技媒体を獲得することができる遊技者に有利な特別有利状態（例えば、ビッグボーナス等）を発生させたりするものが知られている。
【０００３】
この種の遊技機では、始動レバーの操作によるリールの回転や、リール停止ボタンの操作による各リールの停止、及び停止した各リールにおける図柄の組合わせ条件に応じた遊技媒体の払出しや特別有利状態の発生等の遊技内容を制御する主基板を備えている。
【０００４】
また、遊技機には、特別有利状態の発生終了後に遊技機の作動を停止させるか否かを設定する打止めスイッチ、特別有利状態の発生終了後に遊技機内に投入貯留された遊技媒体を清算（返却）するか否かを設定する清算スイッチ、及び特別有利状態等が発生する確率等を変更したり遊技機をリセットしたりするリセットスイッチ等、遊技内容等の設定変更を行うための操作部が遊技機内に備えられている。
【０００５】
この従来の遊技機では、上述した操作部が、電源基板部等の主基板とは離れた位置に配置されていると共に、遊技機内において操作部が露出した状態で配置されているので、遊技機の外本体と扉形前面部材との間等からピアノ線等の工具を挿入して操作部を操作したり、主基板と操作部とを接続する配線コードに対して不正行為を行うための機器を取付けたりして、遊技者に有利な設定に変更する等の不正行為が行われることがあった。
【０００６】
これに対して、特許文献１及び特許文献２に示されているように、主基板を封入する主基板ボックスに操作部を配置すると共に、主基板ボックスに操作部を被覆するカバー部材を開閉可能に取付けて、操作部を不正に操作したり、主基板と操作部とを接続する配線コードに対して不正な機器を取付けられたりするのを防止できるようにしたものが提案されている。
【０００７】
【特許文献１】特開２００３−２５０９５４号公報
【特許文献２】特開２００５−２１１１２３号公報
【発明の開示】
【発明が解決しようとする課題】
【０００８】
しかしながら、上述した従来の遊技機のように、操作部を被覆するカバー部材を主基板ボックスに取付けるようにした場合、カバー部材を回動させるためのヒンジ用のヒンジ孔や、操作部を被覆した状態でカバー部材を主基板ボックスに固定するための貫通孔等を主基板ボックスに形成しなければならず、不正行為により万が一カバー部材が取外された場合、操作部の操作による設定変更だけでなく、カバー部材をヒンジ回転させるために形成された主基板ボックスのヒンジ孔から、主基板ボックス内の主基板に対して不正行為を行うことが可能となり、より深刻な不正行為が行われる恐れがある。
【０００９】
これに対して、カバー部材を、主基板ボックス等が固定されるベース部材に対して、開閉可能に取付けるようにすることが考えられる。しかしながら、この場合、カバー部材が主基板ボックスとは別体となるので、機種の変更や故障等の理由により主基板ボックスを交換する際に、ベース部材側のカバー部材が邪魔になって作業性が低下する恐れがある。
【００１０】
そこで、本発明は上記の実状に鑑み、主基板ボックスの交換作業性を低下させること無く、遊技内容の設定等を不正に変更されるのを防止することができる遊技機の提供を課題とするものである。
【課題を解決するための手段】
【００１１】
手段１：遊技機において、
「遊技者の操作を契機として行われる遊技内容を制御可能な主基板、及び該主基板により制御される遊技内容を変更可能な操作部を有し、該操作部が外部に露出すると共に前記主基板が内部に封入された主基板ボックスと、
該主基板ボックスが着脱可能に固定されるベース部材と、
該ベース部材に回動可能に支持されると共に、該ベース部材に固定された前記主基板ボックスの前記操作部を被覆可能なカバー部材と、
該カバー部材が前記操作部を被覆する閉位置の時に、前記カバー部材を前記主基板ボックスを介さずに前記ベース部材へ固定する固定手段と、
前記ベース部材に対する前記主基板ボックスの着脱の際に、前記カバー部材を邪魔にならない開位置に保持する保持手段と
を具備する」ものであることを特徴とする。
【００１２】
ここで、「操作部」とは、スライド型スイッチ、ロータリー型スイッチ、プッシュ型スイッチ、等の各種形式のスイッチを適宜用いたものであり、主基板において制御される遊技内容の設定値等を変更するための操作部分である。
【００１３】
また、「主基板ボックス」とは、透明部材からなり、遊技機における遊技内容を制御する主基板を外部から視認可能な状態で封入するものである。また、主基板ボックスは解封可能としても良く、この場合、解封の痕跡が主基板ボックスや、主基板ボックスが固定されるベース部材等に残るようにして、不正な解封が判別できるようにすることが望ましい。なお、主基板ボックス内の主基板等に対して、電気的な不正行為が行われるのを防止するために、主基板ボックスに小穴等の開口を形成しないようにすることが望ましい。
【００１４】
また、「ベース部材」としては、主基板ボックスが固定される部材であり、「前面が開口する箱形又は枠形の外本体」、「外本体の前面に開閉可能に取付けられる扉形前面部材」、「遊技が行われる遊技ユニット」、「遊技が行われる遊技ユニットを支持するケース部材」、等が挙げられる。
【００１５】
更に、「カバー部材」としては、主基板ボックスの操作部を被覆した状態で、カバー部材と主基板ボックスとの間に隙間が形成されない、又は、形成される隙間がクランク状となるように操作部を被覆可能とすることが望ましい。また、透明或いは半透明等の透光性を有した部材で形成しても良いし、不透光性の部材で形成しても良く、透光性を有した部材で形成した場合は、カバー部材を通して操作部における各スイッチの状況が視認でき、カバー部材を開けなくても、遊技機の設定状況を認識することができる。
【００１６】
また、「固定手段」としては、「ベース部材に形成された被固定部と、カバー部材に又はカバー部材を介して被固定部に固定する固定機構とを備えたもの」、「カバー部材に形成された被固定部と、ベース部材に形成された被固定部に固定する固定機構とを備えたもの」、「カバー部材を操作部を被覆する方向へ付勢するバネやゴム等の弾性部材からなるもの」、「磁石、粘着材、面ファスナー、等を用いたもの」、等が挙げられる。なお、上記の「固定機構」としては、「拡径可能な円筒状のグロメットと、グロメット内に挿入され少なくともグロメットを拡径させるプランジャとからなるもの（例えば、ボタン形パネルファスナー）」、「係止爪からなるもの」、「回転可能なキーシリンダーを有した鍵ユニットからなるもの」、等が挙げられる。
【００１７】
更に、「保持手段」としては、「カバー部材をスライドさせて溝や孔内に挿入することでカバー部材を保持するもの」、「磁石、粘着材、面ファスナー、等によりカバー部材を保持するもの」、「バネやゴム等の弾性体によってカバー部材を邪魔にならない開位置へ付勢することでカバー部材を保持するもの」、「係止爪等にカバー部材を係止することで保持するもの」、等が挙げられる。
【００１８】
また、「邪魔にならない開位置」としては、「主基板ボックスの着脱方向に対する投影範囲よりも外側の位置」を挙げることができる。
【００１９】
ところで、主基板ボックスにカバー部材を備えるようにした場合、上述した問題点の他に、カバー部材を回動させるためのヒンジ機構や、固定するための固定手段等によって、主基板ボックス内の主基板が外部から見難くなり、不正行為の発見がし辛くなる恐れがある。また、主基板ボックスにカバー部材を備えることで、主基板ボックスに係る部品点数が多くなり、交換品である主基板ボックスに係るコストが増加する問題がある。
【００２０】
また、カバー部材をベース部材に着脱可能に支持されるようにして、主基板ボックスを交換する際に、カバー部材を取外すようにして、交換時にカバー部材が邪魔にならないようにすることが考えられる。しかしながら、この場合、主基板ボックスを交換する際に、カバー部材を一々取外さなければならず、作業性が低下する問題があると共に、主基板ボックスの交換後に、カバー部材を付け忘れた場合、操作部が被覆されず、不正行為を防止することができなくなる問題がある。
【００２１】
更に、カバー部材を回動させることで開閉するようにした場合、カバー部材における回動軸の延びる方向によっては、カバー部材が勝手に回動して、主基板ボックスの交換の妨げになる恐れがある。
【００２２】
手段１の構成によると、遊技機に、遊技内容を制御可能な主基板、及び遊技内容を変更可能な操作部を有し、操作部が外部に露出すると共に主基板が内部に封入された主基板ボックスと、主基板ボックスが着脱可能に固定されるベース部材と、ベース部材に回動可能に支持されると共に、ベース部材に固定された主基板ボックスの操作部を被覆可能なカバー部材と、カバー部材が操作部を被覆する閉位置の時に、カバー部材を主基板ボックスを介さずにベース部材へ固定する固定手段と、主基板ボックスの着脱の際に、カバー部材を邪魔にならない開位置に保持する保持手段とを備えるようにしたものである。
【００２３】
これにより、主基板ボックスを交換する際に、保持手段によって主基板ボックスの操作部を被覆するカバー部材を邪魔にならない開位置に保持することができるので、カバー部材が主基板ボックスの交換作業に支障を来たすことがなく、操作部を被覆するカバー部材を主基板ボックスが固定されるベース部材に支持させるようにしても、主基板ボックスの交換作業性を低下させること無く、遊技内容の設定等を変更する操作部が不正に操作されるのを防止して、遊技内容の設定等を不正に変更されるのを防止することができる。
【００２４】
また、カバー部材をベース部材から取外さなくても主基板ボックスを交換することができるので、主基板ボックスの交換の際に、カバー部材を取外す手間を簡略化することができると共に、取外したカバー部材を紛失したりカバー部材を付け忘れたりするのを防止することができ、カバー部材によって操作部を確実に被覆させて、防犯性が低下するのを防止することができる。
【００２５】
また、カバー部材を回動可能に支持する回動軸の延びる方向が、何れの方向であっても保持手段によってカバー部材を開位置に保持することができるので、カバー部材における回動軸が延びる方向に制限がなく、何れの方向に延びるようにしても良く、これにより、主基板ボックスに対するカバー部材を軸支する位置や方向を任意のものとすることができ、主基板ボックス、操作部、及びカバー部材等を配置する際の設計自由度を高くすることができる。
【００２６】
更に、主基板が封入された主基板ボックスに遊技内容等の設定を変更する操作部を配置しているので、主基板と操作部とを電気的に接続する部分に対して不正行為が行われるのを防止することができ、遊技内容の設定等が不正に変更されるのを防止して、より防犯性を高めることができる。
【００２７】
また、カバー部材が、ベース部材に回動可能に支持されていると共に、固定手段によって主基板ボックスを介さずにベース部材に固定されるようにしているので、主基板ボックスに、カバー部材を回動させたり固定したりするためのヒンジ孔や貫通孔等を形成する必要がなく、カバー部材が万が一取外されても、主基板ボックスに不正行為が可能となるような孔が形成されておらず、主基板に対して深刻な不正行為が行われるのを防止することができる。
【００２８】
また、カバー部材が固定手段によって操作部を被覆した状態で固定されており、操作部を操作する場合、固定手段による固定を解除させる必要があり、カバー部材を容易に開けられないようにしているので、操作部を操作して遊技内容等の設定が不正に変更されるのを防止することができる。なお、固定手段に所定の鍵を備えるようにした場合、遊技内容等の設定変更の際にカバー部材を開くために鍵が必要となるので、鍵を持った特定の者のみが設定変更可能となり、遊技機に対するセキュリティが向上し、信頼性を高めることができる。
【００２９】
更に、主基板ボックスの操作部を被覆するカバー部材を、ベース部材に回動支持させたり固定したりするようにしているので、主基板ボックスにカバー部材を支持したり固定したりするヒンジ機構や固定手段等を備える必要がなく、主基板ボックスに係る部品点数が増加するのを抑制することができ、交換品である主基板ボックスのコストが増加するのを抑制することができる。
【００３０】
手段２：手段１の構成において、
「前記保持手段は、
前記カバー部材を回動させるための回動軸を、回動可能、且つ、前記ベース部材に対する前記主基板ボックスの着脱方向と略同じ方向にスライド可能に支持する長孔状の回動軸支持部と、
該回動軸支持部の延びる方向に前記カバー部材を前記開位置の状態でスライドさせることで前記カバー部材の少なくとも一部を収容保持する収容保持部と
を備えている」ものであることを特徴とする。
【００３１】
ここで、「収容保持部」としては、「カバー部材の少なくとも一部を収容可能な溝状のもの」、「カバー部材の少なくとも一部を収容可能な孔状のもの」、等が挙げられる。
【００３２】
ところで、カバー部材を保持する保持手段としては、種々の形態のものを用いることができるが、例えば、バネ等の弾性体、磁石、面ファスナー等を用いた場合、保持手段がカバー部材やベース部材とは異なる部材となり、部品点数や組立工数が増加し、コストが高くなる問題がある。
【００３３】
手段２の構成によると、保持手段に、カバー部材を回動させるための回動軸を、回動可能、且つ、主基板ボックスの着脱方向と略同じ方向にスライド可能に支持する長孔状の回動軸支持部と、回動軸支持部の延びる方向にカバー部材を開位置の状態でスライドさせることでカバー部材の少なくとも一部を収容保持する収容保持部とを備えたものである。
【００３４】
これにより、カバー部材を閉位置から開位置へ回動させた後に、カバー部材を主基板ボックスの着脱方向へスライドさせると、カバー部材の少なくとも一部が収容保持部に保持されることとなり、カバー部材を簡単に主基板ボックスの交換作業の邪魔にならない位置に保持することができる。
【００３５】
また、カバー部材の少なくとも一部を収容することでカバー部材を保持するようにしているので、収容保持部や回動軸を、ベース部材やカバー部材と一体形成することができ、保持手段に対して部品点数等が増加するのを防止して、コストが高くなるのを抑制することができる。
【００３６】
手段３：手段１又は手段２の構成において、
「前記カバー部材は、
前記主基板ボックスよりも上側の位置で回動可能に支持されている」ものであることを特徴とする。
【００３７】
手段３の構成によると、カバー部材が、主基板ボックスよりも上側の位置で回動可能に支持されているものである。つまり、カバー部材の回動軸を、カバー部材の上部で略水平方向に延びるようにしたものである。
【００３８】
これにより、カバー部材は重力によって、常に主基板ボックスの操作部を被覆する方向に位置しようとし、主基板ボックスを交換する際に、カバー部材が下がって邪魔になり易く、作業者に対してカバー部材の存在を強く意識させ易くすることができ、交換作業後にカバー部材によるカバーのし忘れを防止することができると共に、保持手段によりカバー部材を邪魔にならない開位置に保持することができ、交換作業をし易くすることができる。
【００３９】
手段４：手段１から手段３までの何れか一つの構成において、
「前記カバー部材は、
表面側の前記操作部と対応した位置に、該操作部を案内表示する案内表示部を備えている」ものであることを特徴とする。
【００４０】
ここで、「案内表示部」としては、「操作部により変更可能な設定条件名を表示するもの」、「操作部の設定状況（例えば、ＯＮ・ＯＦＦ等）を表示するもの」、「設定条件名及び設定状況を表示するもの」、等が挙げられる。
【００４１】
手段４の構成によると、カバー部材に、操作部と対応した表面側の位置に操作部を案内表示する案内表示部を備えたものである。
【００４２】
これにより、カバー部材の表面に操作部が案内表示されているので、操作部を操作するためのマニュアル等の説明書がなくても、容易に操作部を操作して設定変更等をすることができる。
【００４３】
なお、カバー部材を透明又は半透明等の透光性を有した部材とすることが望ましく、これにより、カバー部材を通して操作部を視認することができ、案内表示部に表示された操作部の案内と、実際の操作部の操作状況とを同時に認識することが可能となり、カバー部材を開けなくても操作部による設定状況等を認識することができる。
【００４４】
手段５：手段１から手段４までの何れか一つの構成において、
「前記カバー部材は、
後側が視認可能な透光性を有した部材とされている」ものであることを特徴とする。
【００４５】
手段５の構成によると、カバー部材を、後側が視認可能な透光性を有した部材としたものである。これにより、操作部をカバー部材で被覆した状態でも、カバー部材を通して操作部を視認することができるので、操作部を構成する各スイッチの状況を認識することができ、カバー部材を開けなくても遊技機の設定状態を認識することができる。
【００４６】
なお、カバー部材又は操作部に、操作部における各スイッチの説明などが案内表示されている場合、操作部と共にその案内表示部も視認することができるので、遊技機の設定状態を更に認識し易くすることができる。
【００４７】
手段６：手段１から手段５までの何れか一つの構成において、
「前記固定手段は、
前記カバー部材が前記操作部を被覆する位置の時に、前記カバー部材を回動可能に支持する部位と、前記ベース部材に固定された前記主基板ボックスとの間の位置に配置されている」ものであることを特徴とする。
【００４８】
ところで、固定手段を配置する位置としては、主基板ボックス以外の位置であれば、適宜位置に配置することができるが、例えば、固定手段を、カバー部材を回動可能に支持する部位とは操作部を挟んで反対側に配置するようにした場合、操作部を挟んで反対側に主基板ボックスが続いていると、カバー部材を主基板ボックスを越えるように延ばす必要があり、カバー部材が不必要に大きくなる問題があると共に、長いカバー部材の両端でカバー部材が固定されることとなり、カバー部材の中央付近が変形し易くなって、主基板ボックスとカバー部材との間にピアノ線等の工具が挿入され易くなり、不正行為が行われ易くなる問題がある。
【００４９】
手段６の構成によると、固定手段を、カバー部材が操作部を被覆する位置の時に、カバー部材を回動可能に支持する部位と、主基板ボックスとの間の位置に配置するようにしたものである。
【００５０】
これにより、カバー部材を回動可能に支持する部位とは、操作部を挟んで反対側に主基板ボックスが続いていても、カバー部材を必要以上に長く（大きく）しなくても済み、カバー部材に係るコストが増加するのを抑制することができる。また、上述の通り、カバー部材を必要以上に長くしなくても良いので、相対的にカバー部材の剛性が高くなり、主基板ボックスとカバー部材との間に工具等が差し込まれても、カバー部材が変形し難く、不正行為が行われるのを防止することができる。
【００５１】
手段７：手段１から手段６までの何れか一つの構成において、
「前記固定手段は、
前記ベース部材の所定位置に形成された被固定部と、
該被固定部に固定可能とされ、前記カバー部材に対して一体又は別体とされた固定機構と
を備えている」ものであることを特徴とする。
【００５２】
ここで、「被固定部」としては、「固定機構の固定部（例えば、グロメット、施錠部等）を挿通可能な貫通孔」、「固定機構の係止爪を係止可能な段状或いは孔状の係止部」、等が挙げられる。
【００５３】
また、「固定機構」としては、「拡径可能な円筒状のグロメットと、グロメット内に挿入され少なくともグロメットを拡径させるプランジャとからなるもの（例えば、ボタン形パネルファスナー）」、「係止爪からなるもの」、「回転可能なキーシリンダーを有した鍵ユニットからなるもの」、等が挙げられる。
【００５４】
ところで、被固定部と被固定部に固定される固定機構とを備えた固定手段において、被固定部をカバー部材に、固定機構をベース部材に夫々配置するようにした場合、カバー部材を開閉する作業者等から見て固定機構がカバー部材の後側（奥側）に配置されるので、固定機構によるカバー部材の固定や固定の解除がし辛くなる恐れがある。また、固定機構がカバー部材の後側に配置されることで、固定機構が見辛くなり、カバー部材が固定手段によって確実に固定されているか否かを、目視しただけでは判り辛くなって、カバー部材の固定が不完全となり不正行為を防止することができなくなる恐れがある。
【００５５】
手段７の構成によると、固定手段に、ベース部材の所定位置に形成された被固定部と、被固定部に固定可能とされカバー部材に対して一体又は別体とされた固定機構とを備えるようにしたものである。
【００５６】
これにより、カバー部材をベース部材へ固定するための固定手段の主たる固定機構が、カバー部材側に配置されているので、固定機構が作業者等から見て手前側に配置されることとなり、カバー部材をベース部材に固定したり、固定を解除したりするする作業をし易くすることができると共に、固定機構が見易くなるので、目視だけでもカバー部材が確実に固定されているか否かを判別し易くなり、カバー部材の不完全固定や固定のし忘れなどを防止しカバー部材を確実にベース部材に固定させて、不正行為が行われるのを防止することができる。
【００５７】
手段８：手段７の構成において、
「前記被固定部は、貫通孔とされ、且つ、
前記固定機構は、前記被固定部としての前記貫通孔を貫通可能とされると共に該貫通孔よりも大径に拡径可能な略円筒状のグロメットと、該グロメット内に前記カバー部材の表面側から挿入されると共に挿入度合いに応じて前記グロメットを拡径固定可能なプランジャとを有している」ものであることを特徴とする。
【００５８】
手段８の構成によると、被固定部を貫通孔とし、且つ、固定機構を、貫通孔を貫通可能とされ貫通孔よりも大径に拡径可能な略円筒状のグロメットと、グロメット内にカバー部材の表面側から挿入されると共に挿入度合いに応じてグロメットを拡径固定可能なプランジャとを備えたものとしたものである。
【００５９】
これにより、カバー部材を固定する場合は、ベース部材の被固定部としての貫通孔にグロメットを挿通させた上で、カバー部材の表側からグロメット内の所定位置にプランジャを挿入することでグロメットを拡径させて、貫通孔に対してグロメットを圧着させたり係止させたりしてグロメットを貫通孔に固定し、而して、カバー部材をベース部材に固定させて、操作部に対する不正な操作を防止することができる。なお、固定を解除する場合は、プランジャをグロメットが拡径しない位置に移動させて、貫通孔へのグロメットによる圧着や係止を緩めることで、固定手段によるカバー部材の固定を解除させることができる。
【００６０】
また、カバー部材の表側からプランジャを進退させることで、カバー部材を固定したり、固定を解除したりすることができるので、カバー部材の固定作業等を簡単に行うことができると共に、プランジャの進退度合いによってカバー部材が固定されているか否かを認識することができ、カバー部材の不完全固定や固定のし忘れなどを防止しカバー部材を確実にベース部材に固定させて、不正行為が行われるのを防止することができる。
【００６１】
手段９：手段７又は手段８の構成において、
「前記被固定部としての前記貫通孔は、
後面側が略円形状とされ、前面側に、少なくとも前記カバー部材が回動可能に支持される方向に向かって広がり前記固定機構との接触を回避させる逃し部が形成されている」ものであることを特徴とする。
【００６２】
ところで、固定手段における被固定部を、主基板ボックスとカバー部材を回動可能に支持する部位（軸支部）との間に配置した場合、蓋然的にカバー部材に配置された固定機構と軸支部との距離が短くなり、カバー部材の単位回動角度当りの固定機構の移動量が大きくなる。つまり、カバー部材を回動させて固定する際に、被固定部に対して、固定機構が真直ぐ進入せず斜め方向から進入することとなり、固定機構が被固定部に固定される前に、固定機構が被固定部の周辺に当接し、固定機構が被固定部に固定され難くなったり、カバー部材が操作部を被覆する位置（閉位置）に回動することができなかったりする問題が発生する恐れがある。
【００６３】
手段９の構成によると、被固定部としての貫通孔に対して、カバー部材から遠ざかった後面側を略円形状とすると共に、前面側に少なくともカバー部材が回動可能に支持される方向に向かって広がり固定機構との接触を回避させる逃し部を形成したものである。
【００６４】
これにより、カバー部材を回動させて固定する際に、カバー部材に備えられた固定機構が、被固定部の周辺に当接するのを回避させて、固定機構をスムーズに被固定部へと進入させることができ、固定手段をカバー部材の軸支部に近い位置に配置しても、カバー部材を確実に固定させることができる。
【００６５】
ところで、被固定部としての貫通孔の形状を、カバー部材の軸支部方向に延びた、楕円又は長円形状とすることで、固定機構が被固定部の周辺に当接するのを回避させることが考えられる。しかしながら、この場合、貫通孔が楕円又は長円形状とされているので、貫通孔に挿入された円筒状のグロメット等が拡径しても、貫通孔の内周においてグロメット等の外周と当接しない部分が生じ、グロメット等による固定強度が低下する問題がある。
【００６６】
しかしながら、本手段によると、貫通孔の後面側が略円形状とされているので、少なくとも、貫通孔の後面側においては、貫通孔の全周に亘って固定機構のグロメット等の外周と当接し、グロメット等、つまり、固定機構による固定強度が低下するのを防止して、カバー部材が外されて不正行為が行われるのを防止することができる。
【００６７】
手段１０：手段１から手段９までの何れか一つの構成において、
「前面が開口する箱形又は前面が開口する枠形の外本体と、
該外本体に対して着脱自在に取り付けられると共に前面に開口部を有し、該開口部内に遊技者の操作に基いて遊技が行われる遊技ユニットを支持するケース部材と、
該ケース部材に支持された前記遊技ユニットが遊技者から視認可能とされ、前記外本体の前面に横開きの扉状に回動可能に取り付けられる扉形前面部材と
を更に具備し、
前記主基板ボックスは、
前記ベース部材を介して前記ケース部材の内部に、又は、前記ベース部材としての前記ケース部材の内部に、固定されている」ものであることを特徴とする。
【００６８】
ここで、「遊技ユニット」としては、「遊技媒体の投入を契機として始動レバーの操作によって回転する複数の図柄を有したリールを複数備えたもの」、「遊技者の打込み操作によって遊技媒体が打込まれて流下する遊技領域を有したもの（遊技盤）」、等が挙げられる。
【００６９】
手段１０の構成によると、遊技機に、前面が開口する箱形又枠形の外本体と、外本体に対して着脱自在に取り付けられると共に前面に開口部を有し、開口部内に遊技者の操作に基いて遊技が行われる遊技ユニットを支持するケース部材と、ケース部材に支持された遊技ユニットが遊技者から視認可能とされ外本体の前面に回動可能に取り付けられる扉形前面部材とを更に備え、主基板ボックスを、ベース部材を介してケース部材の内部又はベース部材としてのケース部材の内部に、固定したものである。
【００７０】
これにより、遊技が行われる遊技ユニットを支持するケース部材の内部に主基板ボックスを固定するようにしているので、主基板ボックスが外本体に加えて更にケース部材によって覆われることとなり、主基板ボックスの操作部に対する不正行為を、より行い難くすることができ、操作部が不正に操作されて遊技内容の設定等が不正に変更されるのを確実に防止することができる。
【００７１】
手段１１：手段１から手段１０までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００７２】
手段１１の構成によると、パチスロ機において、上述した手段のいずれかの作用効果を奏することができる。
手段１２：手段１から手段１０までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００７３】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００７４】
手段１２の構成によると、パチンコ機において、上述した手段のいずれかの作用効果を奏することができる。
【００７５】
手段１３：手段１から手段１０までの何れか一つの遊技機において、
パチンコ機とパチスロ機とを融合させてなることを特徴とする。
ここで、「パチンコ機とパチスロ機とを融合させてなる遊技機（例えば、パロット等）」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００７６】
手段１３の構成によると、パチンコ機とパチスロ機とを融合させてなる遊技機において、上述した手段のいずれかの作用効果を奏することができる。
【発明の効果】
【００７７】
このように、本発明によれば、主基板ボックスの交換作業性を低下させること無く、遊技内容の設定等を不正に変更されるのを防止することが可能な遊技機を提供することができる。
【発明を実施するための最良の形態】
【００７８】
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６−１，図１６−２はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図、図２４はスロットマシン上部の縦断面図、図２５はメダル放出装置を省略してスロットマシンの下半部を示す斜視図、図２６は図２５の分解斜視図、図２７はスロットマシンの裏側から放熱口を見た背面図、図２８は電源装置を示すスロットマシンの一部断面部分正面図、図２９は電源装置を下から見上げた状態を示す斜視図、図３０は他の形態を示すもので外本体の側板と電源装置の要部断面図、図３１は他の形態を示す照明装置の概略断面図、図３２は透明板と発光ユニットを分解して示す扉形前面部材の斜視図、図３３は透明板を分解して示す扉形前面部材の斜視図、図３４は透明板を装着した扉形前面部材の図３２Ａ−Ａ線相当断面図、図３５はヒンジ金具の分解・組み立て斜視図、図３６はヒンジ金具の連鎖を示す線図、図３７は扉形前面部材を示す要部の横断平面図、図３８は開く途中の扉形前面部材を示す要部の横断平面図、図３９は扉形前面部材の上半部を示す裏側から見た斜視図、図４０は他のヒンジ金具の例を示す扉形前面部材の要部横断平面図、図４１は図４０の扉形前面部材の開く途中を示す要部の横断平面図である。
【００７９】
また、図４２はケース部材に固定された主基板ボックスを拡大して示す正面図、図４３は固定された主基板ボックスが判るようにケース部材の一部を切欠いて示すと共に、カバー部材を拡大して示す斜視図、図４４はカバー部材を単品で示す斜視図、図４５はケース部材に主基板ボックスが固定された状態でカバー部材を閉じた状態と開いた状態とを示す斜視図、図４６はカバー部材の開閉を説明するための断面図である。
【００８０】
本発明のスロットマシン１は、前面が開口する箱形の外本体１００と、該外本体１００の前面に回転軸１００ａをもって横開きの扉状に回動可能に取り付けた扉形前面部材２００と、複数の図柄を駆動手段で変動させる図柄変動表示装置３００と、前記外本体１００に対し着脱自在であって前面に開口部４０１を有するケース部材４００と、任意の画像を表示する画像表示体５００と、を有する。
【００８１】
［外本体］
外本体１００は、図１〜図４に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、前記天板１０３には、遊技機設置島（図示せず）に設置した状態で該遊技機設置島の上桟６００（図２４想像線参照）と対向する領域内に複数（実施形態では４個）の貫通孔１３２，１３２．．．が穿設されている。
【００８２】
［外本体−仕切板］
外本体１００内には高さのほぼ中央に棚板状の仕切板１０５が設けられている。該仕切板１０５は金属製であって、図１，図２に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００８３】
［外本体−仕切板−下スペース］
外本体１００内の前記仕切板１０５より下のスペースには、遊技媒体たるメダルを前記扉形前面部材２００の前面下部にあるメダル用受皿２０１に放出するメダル放出装置１１０と、メダル放出装置１１０からオーバーフローするメダルを貯めるメダル用補助収納箱１１１と、電源装置１１２等が設けられている。
【００８４】
［外本体−仕切板−下スペース−メダル放出装置］
前記メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨む。なお、メダル放出装置１１０のメダル放出機構は、現在公知のどのようなものを採用してもよく、よって詳細な説明を省略する。
【００８５】
［外本体−仕切板−下スペース−電源装置］
前記電源装置１１２は、図２５〜図２９に示したように、外本体１００の底板１０１と、正面向かって左側の側板１０２と、背板１０４の三部材が直交する内側コーナー部分に取り付けられている。電源装置１１２は、前記メダル放出装置１１０等の電気部品に電気を供給するためのものであって発熱しやすい部品であり、従って外本体１００の背板１０４には電源装置１１２の取付部位に放熱口１０４ａが開設されている。
【００８６】
電源装置１１２の装置ケース１１２ａは、透明な合成樹脂で形成されている。こうすることにより装置ケース１１２ａの内部が見えるから、電源装置１１２の基板１１２ｓ（図２９参照）等に対する不正工作の発見が容易になる。
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図２９参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
なお、外本体１００の側板１０２には図２５，図２６に示したように凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３０は前記ガード部１０２ｂを溝状にした他の実施形態を示すものであり、この例では装置ケース１１２の上面板１１２ｂの縁を側板１０２側に若干突出させてその先をガード部１０２ｂの溝に嵌め込むようになっている。
このように電源装置１１２の装置ケース１１２ａにおいて、外本体１００の側板１０２に当接する側の面をカバー無しの開放構造にして使用時に前記側板１０２で塞がるようにした場合は、装置ケース１１２ａ内への基板１１２ｓ等の組み込みが開放面を使って行い易く、また、装置ケース１１２ａに基板１１２ｓ等を組み込んだ後の開放面へのカバー付けが不要であるから作業性が向上する。
【００８７】
前記装置ケース１１２ａの上面板１１２ｂ、側面板１１２ｅ、斜面板１１２ｆ、後面板１１２ｃ、底面板１１２ｒには多数の通気孔１１２ｇ，１１２ｇ．．．が形成されていて内部に熱がこもらないようになっている。装置ケース１１２ａは、底部に設けた脚部１１２ｈ，１１２ｈ．．．によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ．．．を通って低層の比較的冷たい空気が装置ケース１１２ａ内に導入できる。実施形態の通気空間１１２ｉは、外本体１００の前記放熱口１０４ａに連通するようになっているため、機裏の冷たい空気を通気空間１１２ｉに導入することができる。なお、装置ケース１１２ａの後面板１１２ｃと底面板１１２ｒの境界部に前記通気空間１１２ｉを嵩上げする逆Ｌ字形の段部１１２ｊ（図２９参照）を形成すれば、脚部１１２ｈの高さと放熱口１０４ａの高さにズレがあっても通気空間１１２ｉを放熱口１０４ａに連通させることができる。
【００８８】
［外本体−仕切板−下スペース−電源装置−固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００８９】
すなわち、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、前記放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図２５において右方向（横転）への固定が完了する。もちろん電源装置１１２は、下方向に対しては外本体１００の底板１０１によって、また、図２５において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００９０】
［外本体−仕切板−下スペース−電源装置−電源コード］
電源装置１１２には外部から電気の供給を受けるための電源コード（図示せず）が接続されている。そして、従来は前記放熱口１０４ａの横に膨出部を設けてそこから前記電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
これに対し実施形態の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００９１】
以上のように本発明のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを実施形態のごとく合成樹脂製にした場合には、取付用の突部１１２ｍも一体成形できるため殆どコストが掛からない。よって電源装置１１２の取り付けに要するトータルのコストも従来に比べて削減できる。
さらにまた、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００９２】
［外本体−仕切板−上スペース］
一方、外本体１００内の仕切板１０５より上のスペースには前記ケース部材４００が納められ、また、外本体１００の背板１０４の内面には後述する配線手段の中核となる配線中継部材１１３が取り付けられ（図１，図２参照）、さらに背板１０４には配線中継部材１１３より上方に放熱用の通気口１３３が形成されている。
【００９３】
［扉形前面部材］
図３に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述する主基板４５０（図４６参照）のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、主基板４５０のメモリーにデータとして蓄えられているメダルの貯留解除命令（精算による放出命令）を入力するための貯留解除スイッチ２０９と、前記図柄変動表示装置３００を作動させる始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。
【００９４】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。一方、前記返却樋２１３は表側のメダル用受皿２０１に繋がっており、投入口２０３からメダルセレクタ２０７を通って返却樋２１３に流れたメダルはメダル用受皿２０１に戻る。
【００９５】
［扉形前面部材−透視窓］
扉形前面部材２００は、外本体１００の前面全体をカバーする大きさであって、その上半部は、図３２，図３３に示したように、透明板２１４ａで覆ったゲーム用の透視窓２１４になっている。実施形態の透視窓２１４並びに透明板２１４ａは、前記画像表示体５００と図柄変動表示装置３００が上下に並んで見えるよう通常より大きくなっており、扉形前面部材２００と一体の額フレーム２１６によって画像表示体５００と図柄変動表示装置３００の領域が視覚上、上下に区画されている。このように一枚の透明板２１４ａを、画像表示体５００と図柄変動表示装置３００の双方をカバーする大きさに設定しておけば、画像表示体５００と図柄変動表示装置３００の配置が上下入れ替わっても、そのまま使用することができる。
【００９６】
［扉形前面部材−透視窓−透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように画像表示体５００と図柄変動表示装置３００の双方をカバーする程度に大きくても撓みや歪みが生じにくい。
【００９７】
前記縁部材２１４ｂは、図３４に示したように、後面側に開口する殻構造（中実でなく、内部に空間がある殻のような構造であり、各部の肉厚は任意である。）になっており、その内部空間に発光ユニット２１７と、必要に応じて例えば表面に模様や文字を施した装飾部材（図示せず）が組み込まれる。
なお、図３３では、発光ユニット２１７が扉形前面部材２００に取り付けられているように描かれているが、実際の発光ユニット２１７は、図３４に示したように縁部材２１４ｂの中に嵌め込まれている。従って、透明板２１４ａと発光ユニット２１７は、一体の部品として取り扱われる。
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００９８】
その他、図３２，図３３において符号２１８は、透明板２１４ａの上の左右コーナー部分に設けた固定部材であって、透明板２１４ａの裏側から透孔２１４ｃ（図３２拡大図参照）に通したビス（図示せず）により、縁部材２１４ｂと縁部材２１４ｂの間に嵌った図３３の状態で止められている。該固定部材２１８は、外見上コーナー飾りとしての役割を果たす一方、扉形前面部材２００と透明板２１４ａの夫々の上のコーナー部分に設けた通孔２００ａ，２１４ｄ（図３２拡大図参照）に対し扉形前面部材２００の裏側から通したビス（図示せず）に螺合し、もって透明板２１４ａを扉形前面部材２００に固定するナット的な役割を果たす。
【００９９】
また、図３２〜図３４において、符号２１７ａは発光ユニット２１７の発光体、２１７ｂは発光体２１７ａを支持する反射部材である。
左右に位置する発光ユニット２１７の反射部材２１７ｂは、図３４に示したように、棒状の発光体２１７ａの光をスロットマシン１の周囲に向けて多く反射するように角度が設定されている。なお、透明板２１４ａの縁部材２１４ｂの内部に発光ユニット２１７を組み込んだ形態は、発光体２１７ａをスロットマシン１の、より手前側に配置することができるから、あたかも岬の突端にある灯台のごとく、光を周囲に向けて放射させる場合に有利である。
また、上に位置する発光ユニット２１７の反射部材２１７ｂは、発光体２１７ａ（光源２１７ａ−１と導光板２１７ａ−２の組合せ）の光をスロットマシン１の上方に向けて多く反射するように設定されている。
【０１００】
以上の構成である発光ユニット２１７は、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【０１０１】
実施形態の透明板２１４ａは以上のような構成であって、扉形前面部材２００の裏側に設けた凹溝２１９（図３３拡大図参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３４は、このときの扉形前面部材２００の要部を切断したものであり、この図３４から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【０１０２】
［扉形前面部材−錠装置］
扉形前面部材２００の自由端側の一側には専用キー（図示せず）を使って開閉操作する錠装置２１５が設けてある。
【０１０３】
［図柄変動表示装置］
図柄変動表示装置３００はリール回転式表示装置であって、モータ等の駆動手段３０３で個別に回転可能な例えば３個のリール３０１ａ，３０１ｂ，３０１ｃと、該リール３０１ａ，３０１ｂ，３０１ｃを組込み・収容する装置ケース３０２とを有し、リール３０１ａ，３０１ｂ，３０１ｃの周面に描いた複数の図柄（図示せず）の組合せで遊技を行う周知のものである。
【０１０４】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、前記リール３０１ａ，３０１ｂ，３０１ｃの円弧の一部が装置ケース３０２の正面からはみ出す状態になっている。
【０１０５】
また、装置ケース３０２の天部板３０５には指掛可能な使用状態と、天部板３０５に伏した不使用状態とに変化可能な把手３１１が設けられており、該把手３１１に指を掛けて持ち運ぶようになっている。
このように装置ケース３０２の天部板３０５に上記のごとく変化可能な把手３１１を設ける構成は、ケース部材４００の強度アップ策と密接に関連する。
すなわち、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。
ちなみに、従来の装置ケースは、天部板から把手が出っ張ていてそれが障害になるため、ケース部材の開口部に補強桟を設ける余地がない。
【０１０６】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示したように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。
また、実施形態の装置ケース３０２の底部板３０４には図４，図１１に示したようにフランジ状の下把手３１６が突設されており、該下把手３１６をつかんで装置ケース３０２を押し込み又は引っ張ることにより、ケース部材４００への出し入れが行い易くなっている。
【０１０７】
［ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【０１０８】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。
そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板である主基板４５０が装着され、さらに主基板４５０以外の制御基板等（例えばサブ基板）も配線作業空間４０８内に装着されている。
【０１０９】
ケース部材４００の天板４０６には、図１に示したように天窓部４４３，４４３が形成されている。この天窓部４４３，４４３は、天板４０６の強度を保つための補強帯４４４を挟んで２つに分けられており、その夫々が前記外本体１００の貫通孔１３２，１３２．．．を通る軸線との交点を含む領域にあり、該貫通孔１３２，１３２．．．より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。
【０１１０】
ケース部材４００の後面板４０５の外面には図２，図５，図６，図１２に示したように複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示したように後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【０１１１】
一方、ケース部材４００の底板４０３の底面には、図２に示したように凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示したように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示したように仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【０１１２】
また、ケース部材４００は、仕切板１０５上の所定の位置にセットした状態で、図１，図２，図１７，図２２に示した揺動レバー形態のストッパー１１７，１１７，１１７で止められている。このストッパー１１７は、図１，図２に示したように仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。
なお、ストッパー１１７を図１８に示したように鍵形にしてケース部材４００に設けた引掛部４１６に係合させるようにすれば、ケース部材４００の仕切板１０５上における上方向の動きも規制することができる。
また、天板１０３の取付具１１８に軸着したストッパー１１７は、図２２に示したようにケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【０１１３】
また、ケース部材４００の後面板４０５には外本体１００の背板１０４側に貫通する長孔形態の配線窓４１１が開設されている。該配線窓４１１は、図４，図５，図２３に示したようにケース部材４００に設置した図柄変動表示装置３００の装置ケース３０２の上斜板３０９に対応し且つ主基板４５０が封入された主基板ボックス４０９の下側の位置にあり、上斜板３０９の上にある横長の空きスペース４１７（或は上斜板３０９と主基板ボックス４０９の間に形成される横長の三角スペース４１７と観念してもよい。）と背板１０４を結ぶ開口として機能する。
【０１１４】
また、ケース部材４００には図５，図１２に示したように空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【０１１５】
なお、前記配線窓４１１の配置を、図柄変動表示装置３００のリール３０１ａ，３０１ｂ，３０１ｃを基準に特定するならば、配線窓４１１は、図２３に示したように図柄変動表示装置３００のリール３０１ａ，３０１ｂ，３０１ｃの回転中心を通る水平面ＨＬと、リール３０１ａ，３０１ｂ，３０１ｃの最高高さ位置を通る水平面ＨＨとの間の範囲を下限とする状態、つまりその範囲内に下辺を置く高さに配置したものである、と言い換えることもできる。
【０１１６】
［画像表示体］
画像表示体５００は、例えば、少なくとも液晶ディスプレイ（他にもプラズマディスプレイや有機ＥＬディスプレイ等でもよい。）で構成される画像表示可能なパネル形のユニットであり、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【０１１７】
［画像表示体−ヒンジ金具］
図３５は、ヒンジ金具４２０の分解・組み立て斜視図である。なお、ヒンジ金具４２０は、上下が対称な構造であるため、主として上部について説明する。
ヒンジ金具４２０は、前記ケース部材４００の補強部材４０７に取り付く固定部材４２０ａと、前記画像表示体５００の裏側（図３５の破線領域５００ｓ参照）に取り付く回動部材４２０ｂと、該回動部材４２０ｂと固定部材４２０ａを連結する短リンク４２０ｃ及び長リンク４２０ｄで構成される。
【０１１８】
ヒンジ金具４２０の固定部材４２０ａは、棚板形態である横向きの固定片４２０ｅを有し、該固定片４２０ｅの上面に長リンク４２０ｄの一端をピンＰ１で、また、固定片４２０ｅの下面に短リンク４２０ｃの一端をピンＰ２で回動自在に軸着する。
一方、ヒンジ金具４２０の回動部材４２０ｂは、棚板形態である横向きの軸承片４２０ｆを有し、該軸承片４２０ｆの上面に長リンク４２０ｄの一端をピンＰ３で、また、軸承片４２０ｆの下面に短リンク４２０ｃの一端をピンＰ４で回動自在に軸着する。
こうして固定片４２０ｅと軸承片４２０ｆと長リンク４２０ｄと短リンク４２０ｃ及びピンＰ１〜Ｐ４は、図３６の線図に示したように四節回転連鎖を構成し、その連鎖の中でも特に、最短リンクである軸承片４２０ｆに向かい合う固定片４２０ｅを固定リンクとする、いわゆる両てこ機構を構成する。この両てこ機構は、図３６（ａ）〜（ｃ）に示したように、画像表示体５００の回動軌道を、扉形前面部材２００の回転軸１００ａを中心とする回動軌道に近似させるべく、それぞれのピン位置が設定されている。
【０１１９】
なお、長リンク４２０ｄと短リンク４２０ｃは、画像表示体５００がほぼ９０度回動した（開いた）状態で上下に重なり合うように重合領域４２０ｇ，４２０ｈが設定されており（例えば長リンク４２０ｄの重合領域４２０ｇを三角形に膨出させて短リンク４２０ｃの重合領域４２０ｈに重なるようにする。）、その重合領域４２０ｇ，４２０ｈの夫々にピン孔４２０ｉ，４２０ｊが形成されている。このピン孔４２０ｉ，４２０ｊは、両者を同軸上に揃えて棒状の止めピン（図示せず）を差し込むことにより長リンク４２０ｄと短リンク４２０ｃを連結し、もって両てこ機構をロックして画像表示体５００を開いた位置に固定するためのものである。
【０１２０】
［画像表示体−ロック片］
図１１，図１２に示したように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。そうすることにより扉形前面部材２００を開いて直ぐに画像表示体５００を開けばその奥の配線作業空間４０８内のチェックが行える。
【０１２１】
［画像表示体−連結具］
なお、実施形態のスロットマシン１は、画像表示体５００の奥の配線作業空間４０８内のチェックを効率よく行う手段として、扉形前面部材２００と画像表示体５００を適宜な連結具７００で連結し、扉形前面部材２００の開閉に連動して画像表示体５００も一緒に開閉させるようにしてある。この場合、前記のように実施形態の扉形前面部材２００と画像表示体５００は、ヒンジ金具４２０の両てこ機構によって、画像表示体５００の回動軌跡が扉形前面部材２００の回転軸１００ａを回転中心とする回動軌跡に近似するようになっているものの、それでもなお両者の動きには相対的なずれが生じる。そのため実施形態の連結具７００は、図３９に示したように、画像表示体５００の自由端側の裏面に固定鞘部材７０１を形成し、該固定鞘部材７０１の内部に摺動自在な状態にロッド７０２を納め、そのロッド７０２の先端を扉形前面部材２００の裏面（具体的には錠装置２１５のベース部材２１５ａ）に対し、止め軸７０３で回転可能な状態に連結してある。こうすることにより、図３８のように、扉形前面部材２００の開閉に連動して画像表示体５００が扉形前面部材２００の付属部品であるかのごとく一緒に開閉し、その際生じる両者の動きの相対的なずれを連結具７００のロッド７０２が固定鞘部材７０１に出入りして吸収する。
【０１２２】
なお、前記止め軸７０３は、錠装置２１５のベース部材２１５ａの一部を曲げて形成した支持片２１５ｂ，２１５ｂ，２１５ｂに対し、上下動自在に装着されており、スプリング７０３ａにより常時下向きに付勢されている。よって、この止め軸７０３は、スプリング７０３ａの付勢に抗して上動させることが可能であり、上動させて下端を浮かせることによって前記連結具７００のロッド７０２の着脱が可能である。
また、図３９において、符号７０４は連結具７００の固定鞘部材７０１の上面に設けた弾性的な片持ち梁式のストッパであって、前記止め軸７０３から外したロッド７０２を固定鞘部材７０１の内部に納めて保持するためのものであり、ロッド７０２の上面に形成した溝７０５の端部に係合してロッド７０２の盲動を防止する。ロッド７０２には、その側面に摺動方向と直交する方向に摘み片７０６が突設されており、該摘み片７０６を摘んでロッド７０２を強制的に移動させることにより前記ストッパ７０４のロックが外れるようになっている。
また、図３９において、連結具７００の近傍にある符号５０９は、画像表示体５００の自由端側の裏面に突設した係合部である。該係合部５０９は、ケース部材４００の開口部４０１を横切る補強桟４０２に係合して、閉じ位置にある画像表示体５００の自由端側の荷重を支えるものである。なお、図１１に示したように、補強桟４０２には、前記係合部５０９を補強桟４０２の上面に円滑に導くべく、画像表示体５００に向かって下り傾斜する滑り台式の案内部４０２ａが設けてある。また、画像表示体５００の係合部５０９は、画像表示体５００とは別の潤滑性に優れた合成樹脂で形成されており、画像表示体５００に対し着脱自在（交換自在）に装着されている。
【０１２３】
ところで、扉形前面部材２００と画像表示体５００の回動軌跡の相違に起因する動きの相対的なずれは、上記のような伸縮自在なロッド形式の連結具７００の他、柔軟なワイヤーにしても吸収することができる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。
もちろん扉形前面部材２００と画像表示体５００の連れ回りのための手段は上記に限定されない。例えば、上記において連れ回りのための一要素たるヒンジ金具４２０は、上記のような両てこ機構の構造に限定されず、図４０，図４１に示したような、単独のピン４２０ｋを中心にして画像表示体５００を回動させる単純なものであってもよい。
【０１２４】
ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えば主基板ボックス４０９に封入された主基板４５０）がブロックできるから、防犯性能の向上に効果がある。
【０１２５】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分（天窓部４４３，４４３の間の補強帯４４４）には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示したように把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の床板４０３の正面に下把手３１６が突設されているに等しい。
【０１２６】
ここまでの説明から、次のような技術的思想が把握できる。
（ａ）前面が開口する箱形又は前面が開口する枠形の外本体と、
（ｂ）該外本体の前面に横開きの扉状に回動可能に取り付けた扉形前面部材と、
（ｃ）前記外本体に対し着脱自在であって前面に開口部を有するケース部材と、
（ｄ）任意の画像を表示する画像表示体と、を有し、
（ｅ）前記ケース部材に画像表示体を組み付けて遊技ユニットを形成すると共に該遊技ユニットごと外本体に着脱させ得るようになし、
（ｆ）さらに前記画像表示体は、扉形前面部材の回動方向と同方向に回動可能なようにケース部材に取着すると共に、扉形前面部材に対し連結具で連結することにより、扉形前面部材の回動に連動して回動するようにしたことを特徴とする
（ｇ）遊技機。
上記の技術的思想に対する［背景技術］、特許文献Ａ］、［解決課題］、［［効果］は、夫々次のとおりである。
［背景技術］
前面が開口する箱形の外本体（スロットマシンの分野では一般に「筐体」という。）と、該外本体の前面に扉状に回動可能に取り付けた扉形前面部材と、前記外本体に対し着脱自在であって内部にリール回転式表示装置を組み込んだケース部材と、前記外本体の内側であって外本体に対し回動可能に取り付けた画像表示体と、を備えたスロットマシンが、例えば特許文献Ａに記載されている。このスロットマシンは、ケース部材を交換するという部分的な変更により、模様替えが容易に行えるものである。
［特許文献Ａ］特開２００５−８７４８９号公報
［解決課題］
上記従来の模様替え可能な（つまり分離可能な）スロットマシンは、扉形前面部材を開いたとき、画像表示体がその奥の視界を遮る位置にある。従って、スロットマシンの内部の検査等を行う場合、扉形前面部材を開いて後、さらに画像表示体を一々回動させる必要があるため、作業効率が悪い問題点があった。
［効果］
扉形前面部材を開閉させる動作に連動して画像表示体も一緒に回動するから、扉形前面部材を開くと画像表示体も一緒に開く。従って、画像表示体の奥に確認或いは作業すべき空間がある場合、画像表示体を開閉させる作業が省略できるため、作業効率が非常によい。
【０１２７】
［画像表示体−枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００のリール３０１ａ，３０１ｂ，３０１ｃが縁取られる。この枠部材５０１の表面は装飾面になっており、適宜な模様等が描かれている。
【０１２８】
［画像表示体−枠部材−照明装置］
前記枠部材５０１の裏側上下には照明装置５０２が設けられており、該照明装置５０２によって図柄変動表示装置３００の図柄が明るく照らされる。枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【０１２９】
実施形態として例示した照明装置５０２は、図４に示したように、図の紙面と直交する方向（スロットマシン１の幅方向であってリール３０１ａ．．．の回転軸と同方向）に細長い帯状の基板５０３に多数の発光ダイオード（以下ＬＥＤという。）５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の例えば乳白色である透光性カバー５０７内にＬＥＤ５０４を下向きにして配置してなる。
【０１３０】
なお、上側の照明装置５０２は、照明方向を図４に示したように真下より遊技者側、すなわち透明板２１４ａ側に向かう斜め下向きに設置してある。実施形態では比較的強い指向性を持ったＬＥＤ５０４の主たる照射領域の中心線Ｌ（図４拡大図参照）を透明板２１４ａに対し斜めに向かわせるべく、基板５０３のＬＥＤ取付面の向きが、前記透明板２１４ａ側に向けて斜め下向きに傾けられている。
また、もし照明装置５０２の光源として蛍光灯のような棒状発光体を採用した場合には、図４の基板５０３を板状又は光源を包むような凹面状の反射部材に変更し、直射光と反射光の総和により方向付けられる主たる照射領域の中心線が、透明板２１４ａ側の裏面に斜めに当たるように設定すればよい。
以上のように照明装置５０２の照射照準を透明板２１４ａに設定すれば、漏れた一部の光がリール３０１ａ，３０１ｂ，３０１ｃの外周面を照らしても殆ど影響はない。
【０１３１】
実験によれば、照明装置５０２の照明方向をリール３０１ａ，３０１ｂ，３０１ｃの周面側に向けた場合には、湾曲するリール３０１ａ，３０１ｂ，３０１ｃの特定部分が強く反射して見辛くなるのに対し、上記のように主たる照射領域の中心線Ｌを透明板２１４ａに対し斜めに向かわせた場合には、透明板２１４ａを介してリール外周面が照らされることにより、リール３０１ａ，３０１ｂ，３０１ｃの広い範囲が明るく見え易くなることが確認できた。その理由として、照明装置５０２から照射した光が扉形前面部材２００の透視窓２１４に嵌めた透明板２１４ａに当たって反射し全体に拡散するか、或は透明板２１４ａが明るく照らされることでリール３０１ａ，３０１ｂ，３０１ｃの広い範囲が明るく見えるか、或はそれらの相乗作用によるものと推測される。
【０１３２】
以上のような上側の照明装置５０２の構造は、下側の照明装置５０２にも採用することができ、もちろん図３１に示したように下側の照明装置５０２にのみ採用することもできる。なお、図３１は図４の上側の照明装置５０２を下側に配置し、下側の照明装置５０２を上側に配置したものであるため、上記照明装置５０２の説明の「上」を「下」に読み替え、「下」を「上」に読み替えればよい。
【０１３３】
ところで照明装置５０２の光源として実施形態のようにＬＥＤを採用した場合には、（ａ）低電圧で駆動するため約２００Ｖの高電圧で駆動する従来の冷陰極管より安全性が高い、（ｂ）冷陰極管より寿命が長い、（ｃ）ガラス管である冷陰極管より丈夫である、（ｄ）多色発光が可能であるため演出の幅を広げることができる、（ｅ）インバータと組み合わせて使用する冷陰極管より軽く、従って画像表示体５００を支えるヒンジ金具４２０の負担が少ない、というメリットがある。
【０１３４】
［配線手段］
前記外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えば主基板ボックス４０９内の主基板４５０等（ケース部材側の電気部品の総称として単に「ケース部材側電気部品」という場合もある。）とは電気的に接続されている。そして、実施形態のスロットマシン１は、遊技ユニット（ケース部材４００）が外本体１００に対し着脱自在であるため、遊技ユニット（ケース部材４００）の交換等に際して本体側電気部品とケース部材側電気部品とを簡単に接続又は切り離すための合理的な配線手段が設けられている。
【０１３５】
［配線手段−配線中継部材］
前記のように外本体１００の背板１０４の内面上部には、図１４に示した配線中継部材１１３が取り付けられている。該配線中継部材１１３は図４，図５に示したように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながるケース側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板（以下「コネクタ接続用端子基板」という場合もある。）１２２，１２３とからなる。
【０１３６】
前記２枚のコネクタ基板１２２，１２３のうち、図１４，図１５において左側に位置する大きい方のコネクタ基板１２２は取付板１２０に対して固定的に取り付けられており、主基板ボックス４０９につながっているハーネス４２４の先端のコネクタ４２５と対をなすコネクタ１２４が設けられている。
【０１３７】
一方、図１４，図１５において右側に位置する小さい方のコネクタ基板１２３は、取付板１２０とカバー体１２１の間の隙間に非固定的な遊動可能状態に取り付けられており、従って図１５拡大図に示したように上下方向に移動可能であり、また、左右方向にも移動し得る。この小さいコネクタ基板１２３には、主基板ボックス４０９以外のケース部材側電気部品につながっているハーネス４２６の先端のコネクタ４２７と対をなすコネクタ１２５が設けられている。なお、該コネクタ１２５と前記コネクタ１２４は、プリント基板にハンダ付け等の固着手段で固着する基板固着型であり、安価なＤＩＮ規格のものが使われている。
【０１３８】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【０１３９】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示したように外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口１０９とは無関係にそのまま接続される。
【０１４０】
ここまでで説明した配線手段から、次のような技術的思想が把握できる。
（ａ）ケース部材４００の後面板４０５に、図柄変動表示装置３００のリール３０１ａ，３０１ｂ，３０１ｃの回転中心を通る水平面とリール３０１ａ，３０１ｂ，３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながるケース側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【０１４１】
以上（ａ）〜（ｄ）の構成要素を備えた遊技機は、図柄変動表示装置３００のリール３０１ａ，３０１ｂ，３０１ｃの後ろを本体側配線類１１９が通らず、外本体１００の側板１０２，１０２沿い（背板１０４とのコーナーを含む（図１０参照）。）に設けた配線経路を迂回するため、リール３０１ａ，３０１ｂ，３０１ｃを外本体１００の背板１０４近くにまで寄せることが可能になり、従来の構成、すなわち、本体側配線類１１９が背板１０４のほぼ中央を下ってリール３０１ａ，３０１ｂ，３０１ｃの後ろを通っていた従来の構成に比べて、リール３０１ａ，３０１ｂ，３０１ｃの径を大きくすることができる。なお、リール３０１ａ，３０１ｂ，３０１ｃの径は大きい方が、回転時の迫力が増す。
【０１４２】
［配線手段−コネクタ４２５，４２７］
上記のように配線中継部材１１３に設けられている２つのコネクタ１２４，１２５には、ケース部材４００の主基板ボックス４０９につながっているハーネス４２４の先のコネクタ４２５と、主基板ボックス４０９以外のケース部材側電気部品につながっているハーネス４２６の先のコネクタ４２７がそれぞれ接続されている。
この２つのコネクタ４２５，４２７は、図１６−１に示したように１つのコネクタホルダー４２８に一体に取り付けられている。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示したように配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【０１４３】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【０１４４】
前記仮止め棚４１８は、図５，図６，図１２，図１３に示したようにケース部材４００の内側から前記配線窓４１１に向かわせた棚板状の部材であり、図６に示したようにコネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。
なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【０１４５】
しかして、図６に示したように前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２５の先にあるコネクタ４２５，４２７が、ケース部材４００内の部品に当たってその部品はもちろん、自らも損傷する、というようなおそれがない。
【０１４６】
そして、図８（ｂ）→図８（ａ）に示したように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示したように、ベンチ部４３３にガイド用の案内レール４４０を設けておけば、コネクタホルダー４２８を奥に押し込むだけでよいため、作業性が向上する。
以上のようにして配線中継部材１１３に取り付けたコネクタホルダー４２８は、外本体１００の背板１０４を支持基盤として安定し、ケース部材から離間していて接触しないため、輸送時の振動等で外本体１００と遊技ユニットが相対的に動いても無理な負荷が加わらない。
【０１４７】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた遊技ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、
（ｈ）遊技ユニットを外本体に装着する前の状態で前記コネクタホルダーを仮止め部材に仮止めし、遊技ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【０１４８】
上記の遊技機は、遊技ユニットの外本体１００への装着とコネクタ同士の結合とを別々に行うようにしたものであるが、これとは対照的に、例えば遊技ユニットに直接コネクタを取り付け、遊技ユニットを外本体１００に押し込む動作で自動的にコネクタ同士を結合させる、という方式が考えられる。しかしこの方式は、質量の大きな遊技ユニットが輸送中などに外本体１００の内部で振動した場合、大きな負担がコネクタ結合部に掛かるため信頼性に不安があり、その対策にコストが掛かる課題がある。
【０１４９】
また、本発明の遊技機は、外本体１００に１枚の扉形前面部材２００を取り付け、該扉形前面部材２００に対して遊技ユニットを物理的に独立させた構成であるが、これとは対照的に、扉形前面部材を上下２段に分割し、上部の扉形前面部材を遊技ユニット側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【０１５０】
これに対し本発明の遊技機は、外本体１００に１枚の扉形前面部材２００を取り付け、該扉形前面部材２００に対して遊技ユニットを物理的に独立させた構成であり、さらに、コネクタホルダー４２８を配線中継部材１１３に接続した後、該コネクタホルダー４２８は、図５に示したように外本体１００に固定した部品（配線中継部材１１３）と結合し遊技ユニットから離間した独立構造になっているため、プリント基板にハンダ付けして用いる低コストで一般的なコネクタを使用した場合でも、輸送中においても、遊技中においても信頼性・耐久性に不安がない。また、遊技ユニットのみが機種変更時の交換対象であり、扉形前面部材２００は交換対象とならないため、機種変更のための遊技場の負担も軽くなる。
【０１５１】
［コネクタ４２５，４２７とコネクタ１２４，１２５の結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。
しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。
そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【０１５２】
これに対し実施形態の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【０１５３】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダーに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダーに装着し、さらにそのコネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
【０１５４】
以上の遊技機は、固定したコネクタ接続用端子基板のコネクタに照準を合わせてコネクタホルダーを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。従って１つのコネクタホルダーを用いて複数系統のコネクタの一括接続が可能である。しかも使用しているコネクタは、プリント基板にハンダ付けして用いるような汎用的で安価な例えばＤＩＮ規格のものであり、コストも安い。
また、コネクタホルダーは、ナイラッチ（登録商標）等の固定手段で配線中継部材、ひいては該配線中継部材を介して外本体の背板に確実に固定される。一方、コネクタホルダーと遊技ユニットの間では、フレキシブルなハーネスを介してつながっているのみであり、遊技ユニットが動いたとしても、その動きはフレキシブルなハーネスが吸収するので、コネクタホルダーに動きは伝わらない。このため、たとえ輸送中の振動により外本体と遊技ユニットの間に相対的な動きが生じても、コネクタホルダーは、外本体のみと一緒に動き、遊技ユニットの干渉を受けないから、コネクタの結合部には全く負荷が掛からない。よってコネクタ結合の信頼性が非常に高い。
【０１５５】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。
また、実施形態では、図９のようにコネクタ４２５，１２４の方がもう一方のコネクタ４２７，１２５より先に結合するようになっており、そうすることにより結合照準のコネクタ同士が合わせやすい。
【０１５６】
また、図９に拡大して示したように凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【０１５７】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。なお、かかるコネクタホルダー４２８の具体例を図１６−２に示した。この例では、コネクタホルダー４２８のホルダー主体４２９に雌ねじ付きの受筒４２９ａを突設し、一方、コネクタ４２７の両横に遊孔４２７ａを有する耳片４２７ｂを形成し、コネクタホルダー４２８の受筒４２９ａにコネクタ４２７の遊孔４２７ａを遊嵌させ、座金付きのビス４２７ｃをもって耳片４２７ｂの抜け止めとしている。そうすることによりコネクタ４２７は、コネクタホルダー４２８に対し、遊孔４２７ａと受筒４２９ａの径の差の範囲で自由に遊動し得る。この場合のコネクタ基板１２２，１２３は、一体にして取付板１２０に固定すればよい。
また、実施形態では２つのコネクタを１つのコネクタグループとして取り扱ったが、１つのコネクタグループのコネクタ数は２以上でもよい。
【０１５８】
また、実施形態では図４，図１２に示したように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００と主基板ボックス４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻して主基板ボックス４０９等につなぐようにしてある。なお、ケーブル溝４３７には所定の間隔でケーブル止め４３９が設けられていて、ケーブル溝４３７からケーブル３１３が脱落しないようになっている。
【０１５９】
しかして主基板ボックス４０９等とリール基板３１２は、共にケース部材４００の中にあるケース部材側電気部品であり、本来、ケース部材４００の外にケーブル３１３を引き出す必要はない。それを敢えてケース部材４００に配線口４３８，４３８とケーブル溝４３７を設けてケーブル３１３を外伝いに迂回させるようにした理由は次のとおりである。
【０１６０】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。
しかし一方、リール基板３１２の接続対象たる基板類（主基板ボックス４０９内の主基板４５０，画像表示体５００等）の接続部がケース部材４００の扉形前面部材２００のヒンジ側に相当する側にあると、ケーブル３１３がケース部材４００の内部を横切る格好になる。
そうすると前記装置ケース３０２をケース部材４００に装着する際にケーブル３１３を噛み込んだり、逆に装置ケース３０２を引き出す際にケーブル３１３を引っ掛けるおそれがある。
【０１６１】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【０１６２】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。
なお、配線口４３８，４３８とケーブル溝４３７を使った配線は、リール基板３１２のケーブル３１３に限定する必要はなく、ケース部材４００の内部を横切るケーブル全てに適用できる。
【０１６３】
その他、図１１中、符号４４１は機能分離中継端子板である。
【０１６４】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、このとき図２４想像線のように、外本体１００の天板１０３と遊技機設置島の上桟６００とを木ねじ等の固定部材６０１で止める場合は、扉形前面部材２００と画像表示体５００を開放し、外本体１００の貫通孔１３２に対しケース部材４００の内側から天窓部４４３越しに固定部材６０１を挿通させ、さらにドライバー等の工具６０２で天窓部４４３越しに固定部材６０１を締め付けて外本体１００の天板１０３と遊技機設置島の上桟６００とを固定的に連結する。なお、貫通孔１３２は複数設けられているため、必要に応じてその中から任意に選択して使用することができる。例えば、上桟６００の位置やサイズにばらつきがあってもその上桟６００に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【０１６５】
ところで、図２４に示したように外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【０１６６】
［主基板ボックス−カバー部材］
図４２及び図４３に示すように、主基板ボックス４０９は、ケース部材４００の後面板４０５の前面側に固定されている。つまり、ケース部材４００の内部に固定されている。この主基板ボックス４０９は、透明樹脂からなる前カバー４５１及び後カバー４５２と、前カバー４５１及び後カバー４５２とを封印する封印機構４５３とを備えている（図４６参照）。これら前カバー４５１及び後カバー４５２によって形成される箱体の内部に主基板４５０が固定され、封印機構４５３によって封印されることで、主基板４５０が主基板ボックス４０９内に封印（封入）されるようになっている。
【０１６７】
主基板ボックス４０９における封印機構４５３は、主基板ボックス４０９の一辺側（図４２中、右側の辺）に配置されていると共に、一度封印すると、前カバー４５１と後カバー４５２とが互いに離れないように係止（封印）する封印部４５３ａを備えており、本例では、封印部４５３ａが二つ並んで配置されている。この主基板ボックス４０９を解封するためには、封印された封印部４５３ａを破壊或いは削除したりする必要があり、解封の痕跡が残るようになっているので、不正に主基板ボックス４０９が開封されたか否かが判り、主基板４５０に対する不正行為を防止できるようになっている。
【０１６８】
また、主基板ボックス４０９は、透明樹脂により形成されており、内部に封印された主基板４５０を外部から視認することができ、主基板ボックス４０９内に不正な主基板や、不正な電子部品等が取付けられていないか否かを確認することができ、これによっても、不正行為が行われるのを防止できるようになっている。
【０１６９】
更に、主基板ボックス４０９には、ケース部材４００と主基板ボックス４０９との間を封止する封止機構４５４を更に備えている。この封止機構４５４は、図示するように、封印機構４５３の上側に配置されており、四つの封止部４５４ａを備えている。これら封止部４５４ａは、ケース部材４００の後面板４０５に固定された金属製の封止板４５４ｂに対して封止されるようになっている。また、図示は省略するが、後面板４０５に対する封止板４５４ｂの固定部は、主基板ボックス４０９がケース部材４００に固定されると隠蔽される位置に配置され、主基板ボックス４０９がケース部材４００に固定された状態では、封止板４５４ｂをケース部材４００から取外せないようになっており、不正行為に対する防犯性が高められている。
【０１７０】
この封止機構４５４もまた、封印機構４５３と同様の構成とされ、ケース部材４００から主基板ボックス４０９を外すためには、封止された封止部４５４ａを主基板ボックス４０９から削除する等する必要があり、ケース部材４００から主基板ボックス４０９が外された痕跡が、主基板ボックス４０９側及びケース部材４００側の何れにも残るようになっており、不正に外されたか否かが判るので、防犯性が高く、不正行為が行われるのを防止することができるようになっている。
【０１７１】
一方、主基板ボックス４０９には、図４５及び図４６に示すように、主基板４５０により制御される遊技内容の各種設定を変更したり、スロットマシン１の作動をリセットしたりすることができる操作部４５５が備えられている。この操作部４５５は、主基板ボックス４０９の正面視右下側に配置されていると共に、外部に露出するように備えられている。この操作部４５５には、本例では、「ビッグボーナス」等の特別有利状態の発生終了後にスロットマシン１の作動を停止させるか否かを設定する打止めスイッチ４５５ａ、特別有利状態の発生終了後にスロットマシン１内に投入貯留されたメダルを清算（返却）するか否かを設定する清算スイッチ４５５ｂ、スロットマシン１の作動をリセットするリセットスイッチ４５５ｃ、及び、リセットスイッチ４５５ｃにより特別有利状態等が発生する確率等の各種設定を変更可能とするか否かを許可するための設定キー４５５ｄとを備えている。そして、この主基板ボックス４０９の操作部４５５は、図４２及び図４３等に示すように、カバー部材４５６によって被覆されており、カバー部材４５６が閉じられた状態では、操作部４５５を操作することができないようになっている。
【０１７２】
この操作部４５５を被覆するカバー部材４５６は、透明樹脂により形成されていると共に、その表面側の操作部４５５における打止めスイッチ４５５ａ，清算スイッチ４５５ｂ，リセットスイッチ４５５ｃ，設定キー４５５ｄに夫々対応する位置に、各スイッチの名称やスイッチのオン・オフ方向等を案内表示する案内表示部４５６ａが備えられている。これにより、カバー部材４５６を通して操作部４５５が視認できると共に、操作部４５５の各スイッチの設定状態等が認識できるようになっている。
【０１７３】
このカバー部材４５６は、正面視右側端部において、ケース部材４００の後面板４０５に回動可能に支持されている。具体的には、ケース部材４００の後面板４０５には、上下方向に延びる回動軸４０５ａが形成されていると共に、カバー部材４５６の右側端部に軸受部４５６ｂが形成されており、カバー部材４５６の軸受部４５６ｂを回動軸４０５ａに対して弾性係止させることで、カバー部材４５６がケース部材４００の回動軸４０５ａに対して回動可能に軸支されるようになっている。
【０１７４】
また、カバー部材４５６は、主基板ボックス４０９の操作部４５５を被覆する閉位置の時に、固定手段４５７によってケース部材４００に固定されるようになっている。この固定手段４５７は、ケース部材４００に固定された主基板ボックス４０９と、カバー部材４５６を軸支するケース部材４００の回動軸４０５ａとの間に配置され、ケース部材４００の後面板４０５から前方へ突出するボス部４０５ｂ先端に形成された被固定部としての貫通孔４５７ａと、貫通孔４５７ａに固定可能とされカバー部材４５６に配置された固定機構４５７ｂとから構成されている。
【０１７５】
この固定機構４５７ｂは、所謂、ボタン形パネルファスナーとされており、カバー部材４５６の所定位置に穿設された取付孔４５６ｃに取付けられるグロメット４５７ｃと、カバー部材４５６の表面側からグロメット４５７ｃ内に挿入されるプランジャ４５７ｄとから構成されている。この固定機構４５７ｂのグロメット４５７ｃは、先端側端部から基端側へ向かって延びる複数のスリットによって少なくとも先端端部が周方向に複数に分割された円筒状の固定筒部４５７ｃ１と、固定筒部４５７ｃ１の先端側とは反対側の基端側端部外周に形成された円環状の鍔部４５７ｃ２とを主に備えている（図４６（ア）参照）。また、プランジャ４５７ｄは、グロメット４５７ｃの固定筒部４５７ｃ１内に挿入可能な軸部４５７ｄ１と、軸部４５７ｄ１の基端側に形成された円盤状のボタン部４５７ｄ２とを主に備えている（図４６（ア）参照）。
【０１７６】
この固定機構４５７ｂは、グロメット４５７ｃ内に挿入されたプランジャ４５７ｄの挿入位置によって、グロメット４５７ｃの固定筒部４５７ｃ１が拡径したり、拡径が解除されたりするようになっており、グロメット４５７ｃの固定筒部４５７ｃ１を拡径させることで、固定筒部４５７ｃ１の外周を貫通孔４５７ａに係止させたり内周に圧着させたりして、貫通孔４５７ｃに固定機構４５７ｂが固定されるようになっている。なお、本例では、図４６（エ）に示すように、プランジャ４５７ｄを押し込んだ状態では固定筒部４５７ｃ１が拡径し、同図（ア）〜（ウ）に示すように、プランジャ４５７ｄを引いた状態では固定筒部４５７ｃ１の拡径が解除されるようになっている。
【０１７７】
一方、固定手段４５７における貫通孔４５７ａは、図４５及び図４６に示すように、後面側が略円形状とされると共に、前面側に、少なくともカバー部材４５６を軸支する回動軸４０５ａの方向に向かって広がる逃し部４５７ａ１が形成されている。この逃し部４５７ａ１によってカバー部材４５６を閉位置に回動させる際に、固定機構４５７ｂのグロメット４５７ｃが、貫通孔４５７ａ周辺のボス部４０５ｂに接触し難くなり、グロメット４５７ｃを問題なく貫通孔４５７ａ内に挿入させることができるようになっている。なお、グロメット４５７ｃは、カバー部材４５６に対して多少のガタツキを有した状態で取付けられており、仮にグロメット４５７ｃがボス部４０５ｂに接触しても、ガタツキによりグロメット４５７ｃが逃げて、カバー部材４５６が閉まらなくなったり、グロメット４５７ｃが貫通孔４５７ａに挿入されなかったりする問題が発生しないようになっている。
【０１７８】
このように、本実施形態のスロットマシン１によると、主基板４５０が封入された主基板ボックス４０９に遊技内容等の設定を変更する操作部４５５を配置すると共に、主基板ボックス４０９が固定されるケース部材４００に操作部４５５を被覆するカバー部材４５６を備えるようにしているので、カバー部材４５６によって操作部４５５を不正に操作されるのを防止することができると共に、主基板４５０と操作部４５５とを電気的に接続する部分に対して不正行為が行われるのを防止することができ、遊技内容の設定等が不正に変更されるのを防止することができる。
【０１７９】
また、カバー部材４５６が、ケース部材４００に回動可能に支持されていると共に、固定手段４５７によって主基板ボックス４０９を介さずにケース部材４００に固定されるようにしているので、主基板ボックス４０９に、カバー部材４５６を回動させたり固定したりするためのヒンジ孔や貫通孔等を形成する必要がなく、カバー部材４５６が万が一取外されても、主基板ボックス４０９に不正行為が可能となるような孔が形成されておらず、主基板４５０に対して深刻な不正行為が行われるのを防止することができる。
【０１８０】
また、カバー部材４５６が固定手段４５７によって操作部４５５を被覆した状態で固定されており、操作部４５５を操作する場合、固定手段４５７による固定を解除させる必要があり、カバー部材４５６を容易に開けられないようにしているので、操作部４５５を操作して遊技内容等の設定が不正に変更されるのを防止することができる。
【０１８１】
更に、主基板ボックス４０９の操作部４５５を被覆するカバー部材４５６を、ケース部材４００に回動支持させたり固定したりするようにしているので、主基板ボックス４０９にカバー部材４５６を支持したり固定したりするヒンジ機構や固定手段等を備える必要がなく、主基板ボックス４０９に係る部品点数が増加するのを抑制することができ、交換品である主基板ボックス４０９のコストが増加するのを抑制することができる。
【０１８２】
また、カバー部材４５６に、操作部４５５と対応した表面側の位置に操作部４５５を案内表示する案内表示部４５６ａを備えおり、これにより、操作部４５５を操作するためのマニュアル等の説明書がなくても、容易に操作部４５５を操作して設定変更等をすることができる。また、カバー部材４５６を、後側が視認可能な透光性を有した部材としており、操作部４５５を被覆した状態でも、カバー部材４５６を通して操作部４５５を視認することができるので、操作部４５５を構成する各スイッチの状況を認識することができ、カバー部材４５６を開けなくてもスロットマシン１の設定状態を確認することができる。
【０１８３】
更に、固定手段４５７を、カバー部材４５６が操作部４５５を被覆する閉位置の時に、カバー部材４５６を軸支する回動軸４０５ａと、主基板ボックス４０９との間の位置に配置しているので、カバー部材４５６を軸支する回動軸４０５ａ側とは、操作部４５５を挟んで反対側に主基板ボックス４０９が続いていても、カバー部材４５６を必要以上に長くしなくても済み、カバー部材４５６に係るコストが増加するのを抑制することができる。また、上述の通り、カバー部材４５６を必要以上に長くしなくても良いので、相対的にカバー部材４５６の剛性が高くなり、主基板ボックス４０９とカバー部材４５６との間に工具等が差し込まれても、カバー部材４５６が変形し難く、不正行為が行われるのを防止することができる。
【０１８４】
また、カバー部材４５６をケース部材４００へ固定するための固定手段４５７の主たる固定機構４５７ｂが、カバー部材４５６側に配置されているので、固定機構４５７ｂが作業者等から見て手前側に配置されることとなり、カバー部材４５６をケース部材４００に固定したり、固定を解除したりするする作業をし易くすることができると共に、固定機構４５７ｂが見易くなるので、目視だけでもカバー部材４５６が確実に固定されているか否かを判別し易くなり、カバー部材４５６の不完全固定や固定のし忘れなどを防止しカバー部材４５６を確実にケース部材４００に固定させて、不正行為が行われるのを防止することができる。
【０１８５】
更に、カバー部材４５６を固定する場合は、ケース部材４００の貫通孔４５７ａにグロメット４５７ｃを挿通させた上で、カバー部材４５６の表側からグロメット４５７ｃにプランジャ４５７ｄを押し込み挿入することでグロメット４５７ｃを拡径させて、貫通孔４５７ａに対してグロメット４５７ｃを圧着させたり係止させたりすることで、グロメット４５７ｃを貫通孔４５７ａに固定し、而して、カバー部材４５６をケース部材４００に固定させて、操作部４５５に対する不正な操作を防止することができる。なお、固定を解除する場合は、プランジャ４５７ｄを引いてグロメット４５７ｃが拡径しない位置に移動させて、貫通孔４５７ａへのグロメット４５７ｃによる圧着や係止を緩めることで、固定手段４５７によるカバー部材４５６の固定を解除させることができる。
【０１８６】
また、カバー部材４５６の表側からプランジャ４５７ｄを進退させることで、カバー部材４５６を固定したり、固定を解除したりすることができるので、カバー部材４５６の固定作業等を簡単に行うことができると共に、プランジャ４５７ｄの押し込み（進退）度合いによってカバー部材４５６が固定されているか否かを認識することができ、カバー部材４５６の不完全固定や固定のし忘れなどを防止しカバー部材４５６を確実にケース部材４００に固定させて、不正行為が行われるのを防止することができる。
【０１８７】
更に、貫通孔４５７ａの前面側に逃し部４５７ａ１が形成させているので、図４６（ア）〜（エ）に示すように、カバー部材４５６を回動させて固定する際に、カバー部材４５６に備えられたグロメット４５７ｃが、貫通孔４５７ａの周辺に当接するのを回避させて、グロメット４５７ｃをスムーズに貫通孔４５７ａへと進入させることができ、固定手段４５７をカバー部材４５６の軸支部に近い位置に配置しても、カバー部材４５６を確実に固定させることができる。また、貫通孔４５７ａの後面側が略円形状とされているので、少なくとも、貫通孔４５７ａの後面側においては、貫通孔４５７ａの全周に亘ってグロメット４５７ｃの外周と当接し、グロメット４５７ｃ、つまり、固定機構４５７ｂによる固定強度が低下するのを防止して、カバー部材４５６が外されて不正行為が行われるのを防止することができる。
【０１８８】
また、遊技が行われる遊技ユニットとしてのリール３０１ａ，３０１ｂ，３０１ｃ等を支持するケース部材４００の内部に主基板ボックス４０９を固定するようにしているので、主基板ボックス４０９が外本体１００に加えて更にケース部材４００によって覆われることとなり、主基板ボックス４０９の操作部４５５に対する不正行為を、より行い難くすることができ、防犯性能を高めることができると共に、操作部４５５が不正に操作されて遊技内容の設定等が不正に変更されるのを確実に防止することができる。
【０１８９】
なお、上述したカバー部材４５６に対して、主基板ボックス４０９の交換作業の際にカバー部材４５６を邪魔にならない開位置に保持する保持手段４６１（詳細は、後述する）を備えるようにしても良い。
【０１９０】
以上、上記の実施形態では、カバー部材４５６が左右方向に開閉（回動）するものを示したが、カバー部材４５６を上下方向に回動するようにしても良く、この場合の具体的な構成を図４７乃至図４９に基いて詳細に説明する。図４７は上下方向に回動するカバー部材を閉位置及び開位置の状態で夫々示す斜視図、図４８は図４７のカバー部材を閉位置から開位置への回動する動作を断面で示す説明図、図４９は図４８に続きカバー部材を開位置に保持する動作を断面で示す説明図である。なお、上記と同様の構成については同じ符号を付してある。
【０１９１】
図４７乃至図４９に示すように、この実施形態では、主基板ボックス４０９が縦長となるように遊技機（例えば、スロットマシン１）に取付けられると共に、主基板ボックス４０９の上部に、操作部４５５が配置されている。この操作部４５５には、打止めスイッチ４５５ａ、リセットスイッチ４５５ｃ、及び設定キー４５５ｄが、備えられている。本例では、主基板ボックス４０９が、板状のベース部材４６０に着脱可能に固定されるようになっており、このベース部材４６０に対して主基板ボックス４０９が、上述した封止機構４５４と同様の機構によって互いに封止されている。なお、ベース部材に対する主基板ボックスの着脱方向は、ベース部材に対して略垂直な方向とされている。
【０１９２】
本例もまた、この操作部４５５を被覆するように、カバー部材４５６が備えられており、縦長に配置されたカバー部材４５６の上部両側面から外方へ突出する回動軸４５６ｄがベース部材４６０によって回動可能に軸支されることで上下方向に回動するようになっている。また、上記の実施形態と同様に、カバー部材４５６が軸支される部位と、ベース部材４６０に固定された主基板ボックス４０９との間の位置に、カバー部材４５６を操作部４５５を被覆する閉位置の状態に固定する固定手段４５７が備えられている。なお、本例では、固定手段４５７の貫通孔４５７ａが、ベース部材４６０から前方へ突出するボス部４６０ａの先端に形成されていると共に、貫通孔４５７ａの前面側には、固定手段４５７の固定機構４５７ｂとの接触を回避させる逃し部４５７ａ１が形成されている（図４８及び図４９参照）。
【０１９３】
ベース部材４６０には、固定された主基板ボックス４０９における操作部４５５の上側で更にベース部材４６０に形成されたボス部４６０ａよりも上側に、カバー部材４５６をベース部材４６０に対して略垂直に延びた状態となる開位置の状態に保持することができる保持手段４６１が備えられている。この保持手段４６１は、カバー部材４５６の回動軸４５６ｄを回動可能且つベース部材４６０に対して略垂直な方向にスライド可能に支持する長孔状の回動軸支持部４６１ａと、回動軸支持部４６１ａの延びる方向にカバー部材４５６を開位置の状態でスライドさせることでカバー部材４５６の一部を収容保持する収容保持部４６１ｂとを備えている。
【０１９４】
この保持手段４６１の収容保持部４６１ｂは、ベース部材４６０の前面からベース部材４６０に対して略垂直方向（前方）に延び、カバー部材４５６の左右幅よりも若干広い間隔で左右方向に立設された一対の側壁部４６１ｂ１と、側壁部４６１ｂ１の上端同士を連結する板状の天壁部４６１ｂ２と、天壁部４６１ｂ２と略平行に配置され側壁部４６１ｂ１の下部同士を連結する底壁部４６１ｂ３とから構成されている。これら、側壁部４６１ｂ１、天壁部４６１ｂ２、及び底壁部４６１ｂ３によって、収容保持部４６１ｂが、前方側が開放された箱状に形成されている。なお、本例では、側壁部４６１ｂ１と天壁部４６１ｂ２が、同じ長さで前方に延びており、底壁部４６１ｂ３が側壁部４６１ｂ１よりも略半分の長さで前方に延びている。
【０１９５】
この保持手段４６１の収容保持部４６１ｂにおける左右の側壁部４６１ｂ１には、夫々回動軸支持部４６１ａが形成されている。また、天壁部４６１ｂ２には、前方に開いた切欠き部４６２が形成されており、収容保持部４６１ｂ内にカバー部材４５６を保持する際に、カバー部材４５６に備えられた固定機構４５７ｂが天壁部４６１ｂ２に当接しないようになっている（図４７（Ｂ）等参照）。
【０１９６】
図４７及び図４８に示すように、このカバー部材４５６は、基端側としての回動軸４５６ｄとは反対側の先端側が下方に垂下した位置の状態、つまり、主基板ボックス４０９の操作部４５５を被覆した閉位置の状態で、固定手段４５７の固定機構４５７ｂにおけるプランジャ４５７ｄを押し込むことで固定機構４５７ｂのグロメット４５７ｃが拡径して、グロメット４５７ｃが貫通孔４５７ａに圧着係止され、而して、カバー部材４５６が閉位置に固定されるようになっている（図４８（ア）参照）。一方、固定機構４５７ｂのプランジャ４５７ｄを手前（図中左側）に引くことでグロメット４５７ｃの拡径が解除され、カバー部材４５６を開位置へ回動させてカバー部材４５６を開くことができるようになる（図４８（イ）参照）。
【０１９７】
プランジャ４５７ｄを手前に引いて固定機構４５７ｂによる固定を解除した状態で、カバー部材４５６の先端を上方へ持ち上げることで、カバー部材４５６が回動軸４５６ｄ周りに回動する。この際に、固定手段４５７の貫通孔４５７ａに逃し部４５７ａ１が形成されており、貫通孔４５７ａから固定機構４５７ｂのグロメット４５７ｃがスムーズに抜けるようになっている。また、この逃し部４５７ａ１により、カバー部材４５６を閉位置へ回動させる際にも、グロメット４５７ｃが貫通孔４５７ａ内へスムーズに挿通されるようになっている。
【０１９８】
そして、図４９に示すように、カバー部材４５６が略水平方向に延びる閉位置に回動させた状態で、カバー部材４５６を後方（図中、右方向）へスライドさせて、カバー部材４５６の基端側を収容保持部４６１ｂ内へ収容させる。この際に、カバー部材４５６の回動軸４５６ｄが、長孔状の回動軸支持部４６１ｂ内を摺動することとなる。このようにして、カバー部材４５６が収容保持部４６１ｂに保持され、作業者がカバー部材４５６から手を離しても、カバー部材４５６が動くことが無く、主基板ボックス４０９の交換作業の邪魔にならない位置に保持される。なお、カバー部材４５６を閉位置に固定する場合は、上記の逆の手順を行うことで、カバー部材４５６を閉位置に固定することができる。
【０１９９】
このように、本実施形態によると、主基板ボックス４０９を交換する際に、保持手段４６１によって主基板ボックス４０９の操作部４５５を被覆するカバー部材４５６を邪魔にならない開位置に保持することができるので、カバー部材４５６が主基板ボックス４０９の交換作業に支障を来たすことがなく、操作部４５５を被覆するカバー部材４５６を主基板ボックス４０９が固定されるベース部材４６０に支持させるようにしても、主基板ボックス４０９の交換作業性を低下させること無く、遊技内容の設定等を変更する操作部４５５が不正に操作されるのを防止して、遊技内容の設定等を不正に変更されるのを防止することができる。
【０２００】
また、カバー部材４５６をベース部材４６０から取外さなくても主基板ボックス４０９を交換することができるので、主基板ボックス４０９の交換の際に、カバー部材４５６を取外す手間を簡略化することができると共に、取外したカバー部材４５６を紛失したりカバー部材４５６を付け忘れたりするのを防止することができ、カバー部材４５６によって操作部４５５を確実に被覆させて、防犯性が低下するのを防止することができる。
【０２０１】
更に、収容保持部４６１ｂや回動軸４５６ｄを、ベース部材４６０やカバー部材４５６と一体形成するようにしているので、保持手段４６１に対して部品点数等が増加するのを防止して、コストが高くなるのを抑制することができる。
【０２０２】
また、カバー部材４５６の回動軸４５６ｄを、カバー部材４５６の上部で略水平方向に延びるようにしているので、これにより、カバー部材４５６は重力によって、常に主基板ボックス４０９の操作部４５５を被覆する方向に位置しようとし、主基板ボックス４０９を交換する際に、カバー部材４５６が下がって邪魔になり易く、作業者に対してカバー部材４５６の存在を強く意識させ易くすることができ、交換作業後にカバー部材４５６によるカバーのし忘れを防止することができると共に、保持手段４６１によりカバー部材４５６を邪魔にならない開位置に保持することができ、交換作業をし易くすることができる。
【０２０３】
なお、上記の実施形態では、主基板ボックス４０９の上側にカバー部材４５６を配置すると共に、カバー部材４５６の回動軸４５６ｄが略水平方向に延びたものを示したが、カバー部材４５６を回動可能に支持する回動軸４５６ｄの延びる方向が、何れの方向であっても保持手段４６１によってカバー部材４５６を開位置に保持することができるので、カバー部材４５６における回動軸４５６ｄが延びる方向に制限がなく、何れの方向に延びるようにしても良く、これにより、主基板ボックス４０９に対するカバー部材４５６を軸支する位置や方向を任意のものとしても良く、主基板ボックス４０９、操作部４５５、及びカバー部材４５６等を配置する際の設計自由度を高くすることができる。
【０２０４】
以上、本発明を実施の形態について説明したが、上記説明は、次のような技術的思想に対応する実施形態でもある。
（１）前面が開口する箱形又は前面が開口する枠形の外本体と、該外本体の前面に横開きの扉状に回動可能に取り付けた扉形前面部材と、複数の図柄を駆動手段で変動させる図柄変動表示装置と、前記外本体に対し着脱自在であって前面に開口部を有するケース部材と、任意の画像を表示する画像表示体と、を有し、前記ケース部材に対し、前記開口部の一部を覆う状態にして画像表示体を取着すると共に残りの開口部から図柄が見える状態にして前記図柄変動表示装置を取着し、さらにケース部材に対する画像表示体の取着手段をヒンジ構造にして該画像表示体を扉状に回動させ得るようにした遊技機。
（２）前記画像表示体の開き方向と前記扉形前面部材の開き方向とを同じに統一した前記（１）項記載の遊技機。
（３）閉じた画像表示体より後方の空間を配線作業空間とし、該配線作業空間を囲うケース部材の内壁面に制御基板を装着し、画像表示体を開いて配線作業空間を開放するようにした（１）項又は（２）項記載の遊技機。
（４）前記画像表示体を上段に、図柄変動表示装置を下段に配置すると共に、該画像表示体の下側に図柄変動表示装置の前方領域を額縁状に縁取る枠部材を垂設した（１）項乃至（３）項の何れか１つに記載の遊技機。
なお、これら（１）項〜（４）項の技術的思想に対する［背景技術］、［特許文献Ｘ］、［解決課題］、［効果］は、夫々次のとおりである。
［背景技術］
前面が開口する箱形の外本体（スロットマシンの分野では一般に「筐体」という。）と、該外本体の前面に横開きの扉状に回動可能に取り付けた扉形前面部材と、複数の図柄を駆動手段で変動させる図柄変動表示装置と、前記外本体に対し着脱自在であって前面に開口部を有するケース部材と、任意の画像を表示する画像表示体と、を有する遊技機が例えば特許文献Ｘに記載されている。
この遊技機は、図柄変動表示装置がケース部材に取り付けられ、一方、画像表示体が扉形前面部材側の部品として扉形前面部材の裏側に取り付けられている。また、主たる制御基板である主基板を有した主基板ボックスが外本体側の部品として外本体を構成する背板内面に取り付けられている。
［特許文献Ｘ］特開２００４−３０５３７０号公報
［解決課題］
上記従来の遊技機は、主基板ボックスが外本体の背板に取り付けられており、ケース部材の後ろに隠れて見えないため、主基板ボックスや主基板の確認作業が容易でない。
また、上記遊技機は、図柄変動表示装置をケース部材ごと交換することにより、簡便なモデルチェンジが行えるようにしたものであるが、実際は、図柄変動表示装置のみの交換に止まらず、画像表示体も一緒に交換するケースが多々あり、そうした場合にはケース部材の交換作業と画像表示体の交換作業を別々に行わなければならず、作業時間が長くなる問題があった。
［効果］
図柄変動表示装置と画像表示体がケース部材ごと遊技ユニットとして一括交換できるため、扉形前面部材に殆ど手を加えることなくフルモデルチェンジに近いモデルチェンジが簡単・迅速に行える。また、画像表示体は重く且つ高所に配置される部品であるため、これを扉形前面部材に設けた場合には、扉形前面部材の重心が高く不安定になるから、外本体に組み付ける前の段階で倒れやすく且つ倒れた場合のダメージが大きいが、本発明のごとく画像表示体をケース部材に取り付けるようにすれば、扉形前面部材の重心が低くなって安定性が増すため、前記の問題点が一掃できる。
また、ケース部材に対し画像表示体を扉状に回動させ得るようにしたため、画像表示体の後方の空間が有効に活用できる効果がある。
また、（２）項のように画像表示体の開き方向と前記扉形前面部材の開き方向とを同じに統一した場合には、扉形前面部材の開き具合が完全でなくとも画像表示体を開くことができるため作業性がよく、また、扉形前面部材と画像表示体を適宜な連結手段で連結するだけで扉形前面部材と画像表示体の一体的な開閉が可能になるから、さらに利便性を高めることができる。
また、（３）項の遊技機は、第一に閉じた画像表示体より後方の空間を配線作業空間とし、第二に配線作業空間を囲うケース部材の内壁面に制御基板を装着し、画像表示体を開いて配線作業空間を開放するようにしたため、遊技機の正面から手作業によって制御基板の配線が行え、また、画像表示体を開いて制御基板の確認が簡単に行える効果がある。
また、（４）項に記載の遊技機によれば、画像表示体の下側に図柄変動表示装置の前方領域を額縁状に縁取る枠部材を垂設したため、該枠部材を装飾用のフレームとして利用することにより図柄変動表示装置の図柄の周囲に装飾が施せる。ちなみに従来の遊技機は、扉形前面部材自体に前記枠部材相当部品があってその部品に図柄変動表示装置の周りを縁取る装飾が施されていたため、図柄変動表示装置を変えてもその周りの装飾が変わらないから全体の印象がアンバランスになり、また、枠部材相当部品を交換する場合は、扉形前面部材側に対し別途作業が必要になるため作業性が悪化する、等の問題があった。
【０２０５】
以上、本発明について説明したが、もちろん本発明は上記実施形態に限定されるものではない。例えば実施形態は遊技機としてスロットマシンを例示したが、メダルに代えてパチンコ球を使用する遊技機（例えば、パロット等）に利用してもよい。また、実施形態では前面が開口する箱形の外本体１００（通称、筐体）を例示したが、前面が開口する枠形の外本体１００（通称、外枠）であっても、外本体１００の背板１０４にかかわる部分以外はそのまま適用可能である。また、実施形態では、ケース部材４００の後面板４０５に設けた配線通路たる凹み４１９，４１９を配線窓４１１の両横に形成したが、配線窓４１１の片側にのみ配線通路を形成してもよい。また、配線通路はケース部材４００の後面板４０５と外本体１００の背板１０４との間に本体側配線類１１９が通る空間が確保されていれば良いのであって、必ずしも溝形態である必要はない。
【図面の簡単な説明】
【０２０６】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６−１】コネクタホルダーの分解斜視図である。
【図１６−２】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】スロットマシン上部の縦断面図である。
【図２５】メダル放出装置を省略してスロットマシンの下半部を示す斜視図である。
【図２６】図２５の分解斜視図である。
【図２７】スロットマシンの裏側から放熱口を見た背面図である。
【図２８】電源装置を示すスロットマシンの一部断面部分正面図である。
【図２９】電源装置を下から見上げた状態を示す斜視図である。
【図３０】他の形態を示すもので外本体の側板と電源装置の要部断面図である。
【図３１】他の形態を示す照明装置の概略断面図である。
【図３２】透明板と発光ユニットを分解して示す扉形前面部材の斜視図である。
【図３３】透明板を分解して示す扉形前面部材の斜視図である。
【図３４】透明板を装着した扉形前面部材の図３２Ａ−Ａ線相当断面図である。
【図３５】ヒンジ金具の分解・組み立て斜視図である。
【図３６】ヒンジ金具の連鎖を示す線図である。
【図３７】扉形前面部材を示す要部の横断平面図である。
【図３８】開く途中の扉形前面部材を示す要部の横断平面図である。
【図３９】扉形前面部材の上半部を示す裏側から見た斜視図である。
【図４０】他のヒンジ金具の例を示す扉形前面部材の要部横断平面図である。
【図４１】図４０の扉形前面部材の開く途中を示す要部の横断平面図である。
【図４２】ケース部材に固定された主基板ボックスを拡大して示す正面図である。
【図４３】固定された主基板ボックスが判るようにケース部材の一部を切欠いて示すと共に、カバー部材を拡大して示す斜視図である。
【図４４】カバー部材を単品で示す斜視図である。
【図４５】ケース部材に主基板ボックスが固定された状態でカバー部材を閉じた状態と開いた状態とを示す斜視図である。
【図４６】カバー部材の開閉を説明するための断面図である。
【図４７】上下方向に回動するカバー部材を閉位置及び開位置の状態で夫々示す斜視図である。
【図４８】図４７のカバー部材を閉位置から開位置への回動する動作を断面で示す説明図である。
【図４９】図４８に続きカバー部材を開位置に保持する動作を断面で示す説明図である。
【符号の説明】
【０２０７】
１  スロットマシン
１００  外本体
２００  扉形前面部材
３０１ａ  リール
３０１ｂ  リール
３０１ｃ  リール
４００  ケース部材
４０１  開口部
４０５  後面板
４０５ａ  回動軸
４０５ｂ  ボス部
４５０  主基板
４５５  操作部
４５５ａ  打止めスイッチ
４５５ｂ  清算スイッチ
４５５ｃ  リセットスイッチ
４５５ｄ  設定キー
４５６  カバー部材
４５６ａ  案内表示部
４５６ｂ  軸受部
４５６ｃ  取付孔
４５６ｄ  回動軸
４５７  固定手段
４５７ａ  貫通孔（被固定部）
４５７ａ１  逃し部
４５７ｂ  固定機構
４５７ｃ  グロメット
４５７ｃ１  固定筒部
４５７ｃ２  鍔部
４５７ｄ  プランジャ
４５７ｄ１  軸部
４５７ｄ２  ボタン部
４６０  ベース部材
４６１  保持手段
４６１ａ  回動軸支持部
４６１ｂ  収容保持部
４６１ｂ１  側壁部
４６１ｂ２  天壁部
４６１ｂ３  底壁部
【図１】
2008178623.tif 000003
【図２】
2008178623.tif 000004
【図３】
2008178623.tif 000005
【図４】
2008178623.tif 000006
【図５】
2008178623.tif 000007
【図６】
2008178623.tif 000008
【図７】
2008178623.tif 000009
【図８】
2008178623.tif 000010
【図９】
2008178623.tif 000011
【図１０】
2008178623.tif 000012
【図１１】
2008178623.tif 000013
【図１２】
2008178623.tif 000014
【図１３】
2008178623.tif 000015
【図１４】
2008178623.tif 000016
【図１５】
2008178623.tif 000017
【図１６−１】
2008178623.tif 000018
【図１６−２】
2008178623.tif 000019
【図１７】
2008178623.tif 000020
【図１８】
2008178623.tif 000021
【図１９】
2008178623.tif 000022
【図２０】
2008178623.tif 000023
【図２１】
2008178623.tif 000024
【図２２】
2008178623.tif 000025
【図２３】
2008178623.tif 000026
【図２４】
2008178623.tif 000027
【図２５】
2008178623.tif 000028
【図２６】
2008178623.tif 000029
【図２７】
2008178623.tif 000030
【図２８】
2008178623.tif 000031
【図２９】
2008178623.tif 000032
【図３０】
2008178623.tif 000033
【図３１】
2008178623.tif 000034
【図３２】
2008178623.tif 000035
【図３３】
2008178623.tif 000036
【図３４】
2008178623.tif 000037
【図３５】
2008178623.tif 000038
【図３６】
2008178623.tif 000039
【図３７】
2008178623.tif 000040
【図３８】
2008178623.tif 000041
【図３９】
2008178623.tif 000042
【図４０】
2008178623.tif 000043
【図４１】
2008178623.tif 000044
【図４２】
2008178623.tif 000045
【図４３】
2008178623.tif 000046
【図４４】
2008178623.tif 000047
【図４５】
2008178623.tif 000048
【図４６】
2008178623.tif 000049
【図４７】
2008178623.tif 000050
【図４８】
2008178623.tif 000051
【図４９】
2008178623.tif 000052